(57)【特許請求の範囲】
【請求項１】
一又は複数の送信装置と、該送信装置と通信を行うサーバと、画像作成装置とを備える遠隔監視システムであって、
一又は複数の送信装置の各々は、
水源の水位と、水質と、標高とのすくなくとも１以上の項目を計測する計測部と、
前記水源の水を汲み上げる揚水ポンプの稼働状態を示す情報を取得する取得部と、
サーバへ、前記計測部が計測した前記水源の水位と、水質と、標高とのすくなくとも１以上の項目を表す情報と前記水源の識別情報と前記取得部が取得した前記揚水ポンプの稼働状態を示す前記情報とを含む計測情報を送信する送信部とを備え、
前記サーバは、
一又は複数の前記送信装置が送信した前記計測情報を受信する受信部と、
前記受信部が受信した前記計測情報に含まれる前記水源の識別情報と前記揚水ポンプの稼働状態を示す前記情報と前記水源の水位と、水質と、標高とのすくなくとも１以上の項目を表す情報とを関連付けて記憶する記憶部を備え、
前記画像作成装置は、
地図に設定された地域を複数に分割した領域のうち、前記記憶部に記憶した前記水源の位置に該当する領域に、前記水源の１以上の前記項目と、前記水源の前記識別情報と前記水源の水位情報及び標高情報と前記揚水ポンプの稼働状態を示す情報とを表した画像を作成する画像作成部を備える、遠隔監視システム。
【請求項２】
前記サーバは、
前記水源の水位の計測結果と初期の水位との差分及び前記水質の計測結果と初期の水質との差分のいずれか一方又は両方を算出する演算部を備え、
前記画像作成部は、前記記憶部に記憶した前記水源の位置に該当する領域に、前記演算部が演算した前記水位の計測結果と前記初期の水位との差分の算出結果及び前記水質の計測結果と前記初期の水質との差分の算出結果のいずれか一方又は両方を表した画像を作成する、請求項１に記載の遠隔監視システム。
【請求項３】
前記サーバは、
揚水ポンプの発停制御を行う制御部を備え、
前記制御部は、前記受信部が受信した前記計測情報に含まれる前記水源の水位情報が第１の水位閾値以上になるまで、前記揚水ポンプの稼働を停止させる、請求項２に記載の遠隔監視システム。
【請求項４】
前記サーバは、
揚水ポンプの発停制御を行う制御部を備え、
前記制御部は、前記受信部が受信した前記計測情報に含まれる前記水源の水位情報が第２の水位閾値未満になるまで、前記揚水ポンプの稼働を継続させる、請求項２に記載の遠隔監視システム。
【請求項５】
前記記憶部に記憶した前記水源の識別情報と前記水源の水位情報及び目標高情報と揚水ポンプの稼働状態を示す情報とに基づいて、地盤沈下の要因を解析する解析部を備える、請求項１に記載の遠隔監視システム。
【請求項６】
前記画像作成装置は、地図に設定された地域を複数に分割したメッシュのうち、前記記憶部に記憶した前記水源の位置に該当するメッシュに、前記水源の１以上の前記項目を表した画像を作成する、請求項１に記載の遠隔監視システム。
【請求項７】
前記画像作成部は、前記画像を少なくとも二分毎に更新する、請求項１に記載の遠隔監視システム。
【請求項８】
一又は複数の送信装置と、該送信装置と通信を行うサーバと、画像作成装置とを備える遠隔監視システムが実行する遠隔監視方法であって、
一又は複数の送信装置の各々が、水源の水位と、水質と、標高との少なくとも１以上の項目を計測するステップと、
一又は複数の前記送信装置の各々が、前記水源の水を汲み上げる揚水ポンプの稼働状態を示す情報を取得するステップと、
一又は複数の前記送信装置の各々が、サーバへ、計測する前記ステップで計測した１以上の前記項目を表す情報と前記水源の識別情報と前記揚水ポンプの稼働状態を示す前記情報とを含む計測情報を送信するステップと、
前記サーバが、一又は複数の前記送信装置が送信した前記計測情報を受信するステップと、
前記サーバが、受信する前記ステップで受信した前記計測情報に含まれる前記水源の識別情報と前記揚水ポンプの稼働状態を示す前記情報と前記水源の１以上の前記項目とを関連付けて記憶するステップと、
画像作成装置が、地図に設定された地域を複数に分割した領域のうち、記憶する前記ステップで記憶した前記水源の位置に該当する領域に、記憶する前記ステップで記憶した前記水源の１以上の前記項目と、前記水源の前記識別情報と前記水源の水位情報及び標高情報と前記揚水ポンプの稼働状態を示す情報とを表した画像を作成するステップとを有する、遠隔監視方法。
【請求項９】
サーバのコンピュータに、
一又は複数の送信装置の各々が送信した計測情報を受信するステップと、
受信する前記ステップで受信した前記計測情報に含まれる水源の識別情報と揚水ポンプの稼働状態を示す情報と前記水源の水位と、水質と、標高との少なくとも１以上の項目とを関連付けて記憶するステップと、
地図に設定された地域を複数に分割した領域のうち、記憶する前記ステップで記憶した前記水源の位置に該当する領域に、記憶する前記ステップで記憶した前記水源の１以上の前記項目と、前記水源の前記識別情報と前記水源の水位情報及び標高情報と前記揚水ポンプの稼働状態を示す情報とを表した画像を作成するステップと
を実行させる、遠隔監視プログラム。
【請求項１０】
水源の水位と、水質と、標高とのすくなくとも１以上の項目を計測し、前記水源の水を汲み上げる揚水ポンプの稼働状態を示す情報を取得し、計測した前記水源の１以上の前記項目を表す情報と、前記水源の識別情報と、取得した前記揚水ポンプの稼働状態を示す前記情報とを含む計測情報を送信する送信装置から送信される計測情報に基づいて、計測した前記水源の１以上の前記項目と、前記水源の前記識別情報と前記水源の水位情報及び標高情報と前記揚水ポンプの稼働状態を示す情報とを表した画像を、地図に設定された地域を複数の領域に分割し、前記水源の位置に該当する前記領域に作成する画像作成部
を備える、画像作成装置。
【請求項１１】
前記送信装置から送信される前記計測情報に含まれる前記水源の識別情報と１以上の前記項目を表す情報とを関連付けて記憶する記憶部を備え、
前記画像作成部は、前記水源の１以上の前記項目を表した画像を、地図に設定された地域を複数の領域に分割し、前記記憶部に記憶した前記水源の位置に該当する前記領域に作成する、請求項１０に記載の画像作成装置。
【請求項１２】
前記計測情報が複数の水源の計測情報である、請求項１０または１１に記載の画像作成装置。
【請求項１３】
前記画像作成部は、前記領域に、複数の前記送信装置の位置が該当する場合には、前記領域に、複数の前記送信装置が送信した前記計測情報に含まれる前記水源の１以上の前記項目を表す、請求項１０に記載の画像作成装置。
【請求項１４】
前記画像作成部は、前記領域に、複数の前記送信装置が送信した前記計測情報に含まれる前記水源の１以上の前記計測情報を統計した結果を表す、請求項１３に記載の画像作成装置。
【請求項１５】
前記画像作成部は、水位の計測結果の経年変化及び水質の計測結果の経年変化のいずれか一方又は両方を表す画像を表示する、請求項１０に記載の画像作成装置。
【請求項１６】
前記画像作成部は、前記水源の１以上の前記項目を表す場合に、前記領域で要求されている基準との差を表す画像を表示する、請求項１０に記載の画像作成装置。
【請求項１７】
前記地図は、地質図である、請求項１０に記載の画像作成装置。
【請求項１８】
コンピュータが実行する画像作成方法において、
水源の水位と、水質と、標高とのすくなくとも１以上の項目を計測し、前記水源の水を汲み上げる揚水ポンプの稼働状態を示す情報を取得し、計測した前記水源の１以上の前記項目を表す情報と、前記水源の識別情報と、取得した前記揚水ポンプの稼働状態を示す前記情報とを含む計測情報を送信する送信装置から送信される計測情報を取得するステップと、
前記取得するステップで取得した前記計測情報に基づいて、地図に設定された地域を複数に分割した領域のうち、前記水源の位置に該当する領域に、前記水源の１以上の前記項目と、前記水源の前記識別情報と前記水源の水位情報及び標高情報と前記揚水ポンプの稼働状態を示す情報とを表した画像を作成するステップとを有する、画像作成方法。
【請求項１９】
コンピュータに、
水源の水位と、水質と、標高とのすくなくとも１以上の項目を計測し、前記水源の水を汲み上げる揚水ポンプの稼働状態を示す情報を取得し、計測した前記水源の１以上の前記項目を表す情報と、前記水源の識別情報と、取得した前記揚水ポンプの稼働状態を示す前記情報とを含む計測情報を送信する送信装置から送信される計測情報を取得するステップと、
前記取得するステップで取得した前記計測情報に基づいて、地図に設定された地域を複数に分割した領域のうち、前記水源の位置に該当する領域に、前記水源の１以上の前記項目と、前記水源の前記識別情報と前記水源の水位情報及び標高情報と前記揚水ポンプの稼働状態を示す情報とを表した画像を作成するステップとを実行させる、画像作成プログラム。
【発明の詳細な説明】
【技術分野】
【０００１】
本発明の実施形態は、遠隔監視システム、遠隔監視方法、遠隔監視プログラム、画像作成装置、画像作成方法、及び画像作成プログラムに関する。
【背景技術】
【０００２】
排水機場周辺の河川網等の水源の水量の時系列データを表示する技術に関して、河川網を模式的に表示し、該河川網の水位計測点の側に地名とウインドウとを配置する技術が知られている（例えば、特許文献１参照）。この技術では、ウインドウ内に現在の計測水位を表示することによって、水量の時系列データを表示する。これにより、現時刻の水位分布を、河川網の地図へ、空間的に表示することが可能となっている。さらに、この技術では、所定時刻先の各水位計測点の水位を予測し、該予測した水位の時系列データを表示する。
また、貯水池の現在の水位データ及び雨量データを用いて、貯水池の決壊や渇水を短時間で予測する技術が知られている（例えば、特許文献２参照）。この技術では、水位の変化を予測した結果と予め記憶された貯水池の決壊及び渇水の基準となる高さデータとを比較することにより、決壊又は渇水が起こるか否かを判定する。
【先行技術文献】
【特許文献】
【０００３】
【特許文献１】特開平９−１１１７３２号公報
【特許文献２】特開２０１３−１７４９８３号公報
【発明の概要】
【発明が解決しようとする課題】
【０００４】
前述した技術では、運転員が河川網等の水源の水量計測データを閲覧し、運転員が操作することで地図に時系列化して、水量計測データを表示する。また、運転員による操作を助けるために、水源の水位の予測シミュレーションが行われる。
河川水系も比較的単純であり、河川管理施設も一つのポンプ場という箇所が多い場合には、この方法でも水系全域の状態把握は、さほど困難ではない。
近年、河川間の水の融通を図る放水路、導水路が新設され、河川網はますます複雑化、広域化しており、前述した表示方法では、適切な水系全域の状態把握は難しい。具体的には、河川網が広域化、複雑化した場合、それに応じて、データを表示するウインドウの数を増やす必要がある。そのため画面に多くの数値データが並び、非常に判りにくい画面になる。さらに、水位データの空間的な表示は可能であるが、現時刻、又は特定の時刻の水位分布しか表示できず、時系列化して表示することはできない。さらに、水位を予測するトレンドの数が増えれば、非常に判りにくい表示になる上、水位データの時間的な表示は可能でも、空間的な表示は不可能である。
前述したことは、河川水系に限らず、井戸等の水源の水量の時系列データを表示する場合にも当てはまる。【０００５】
また、複数の貯水池について決壊や渇水を予測することを考える。前述した技術では、複数の貯水池の各々について、該貯水池の決壊及び渇水の基準となる高さデータを予め用意する必要がある。
ここで、井戸等の水源の水位データを用いて、該水源近傍の地盤沈下を予測することを考える。この場合、複数の貯水池について決壊や渇水を予測する場合と同様に、水源近傍の地盤沈下の基準となる水位データを用意する必要がある。また、従来の監視システムは、水源標高を計測していないため、地盤沈下の予測はできないという問題点がある。
本発明は前記事情に鑑みてなされたものであり、第一の目的は、水源が広域化した場合でも、該水源の水位、及び／又は水質を容易に把握できる遠隔監視システム、遠隔監視方法、遠隔監視プログラム、画像作成装置、画像作成方法、及び画像作成プログラムを提供することにある。
第二の目的は、地盤沈下の予測精度を向上できる遠隔監視システム、遠隔監視プログラム、遠隔監視方法、画像作成装置、画像作成方法、及び画像作成プログラムを提供することにある。
【課題を解決するための手段】
【０００６】
本発明は、下記の態様を有する。
＜１＞一又は複数の送信装置と、該送信装置と通信を行うサーバと、画像作成装置とを備える遠隔監視システムであって、一又は複数の送信装置の各々は、水源の水位と、水質と、標高とのすくなくとも１以上の項目を計測する計測部と、サーバへ、前記計測部が計測した前記水源の水位と、水質と、標高とのすくなくとも１以上の項目を表す情報と前記水源の識別情報とを含む計測情報を送信する送信部とを備え、前記サーバは、前記一又は複数の送信装置が送信した前記計測情報を受信する受信部と、前記受信部が受信した前記計測情報に含まれる前記水源の識別情報と前記水源の水位と、水質と、標高とのすくなくとも１以上の項目を表す情報とを関連付けて記憶する記憶部を備え、前記画像作成装置は、地図に設定された地域を複数に分割した領域のうち、前記記憶部に記憶した前記水源の位置に該当する領域に、前記水源の１以上の前記項目を表した画像を作成する画像作成部を備える、遠隔監視システム。
＜２＞前記一又は複数の送信装置の各々は、前記水源の水を汲み上げる揚水ポンプの稼働状態を示す情報を取得する取得部を備え、前記送信部は、前記サーバへ、前記取得部が取得した前記揚水ポンプの稼働状態を示す情報を含む前記計測情報を送信し、前記受信部は、前記一又は複数の送信装置が送信した前記計測情報を受信し、前記記憶部は、前記計測情報に含まれる前記水源の識別情報と前記水源の水位情報及び標高情報と前記揚水ポンプの稼働状態を示す情報とを関連付けて記憶し、前記画像作成部は、前記記憶部に記憶した前記水源の識別情報と前記水源の水位情報及び標高情報と前記揚水ポンプの稼働状態を示す情報とを表した画像を作成する、＜１＞に記載の遠隔監視システム。
＜３＞前記サーバは、前記水源の水位の計測結果と初期の水位との差分及び前記水質の計測結果と初期の水質との差分のいずれか一方又は両方を算出する演算部を備え、前記画像作成部は、前記記憶部に記憶した前記水源の位置に該当する領域に、前記演算部が演算した前記水位の計測結果と前記初期の水位との差分の算出結果及び前記水質の計測結果と前記初期の水質との差分の算出結果のいずれか一方又は両方を表した画像を作成する、＜１＞に記載の遠隔監視システム。
＜４＞前記サーバは、揚水ポンプの発停制御を行う制御部を備え、前記制御部は、前記受信部が受信した前記計測情報に含まれる前記水源の水位情報が第１の水位閾値以上になるまで、前記揚水ポンプの稼働を停止させる、＜３＞に記載の遠隔監視システム。
＜５＞前記サーバは、揚水ポンプの発停制御を行う制御部を備え、前記制御部は、前記受信部が受信した前記計測情報に含まれる前記水源の水位情報が第２の水位閾値未満になるまで、前記揚水ポンプの稼働を継続させる、＜３＞に記載の遠隔監視システム。
＜６＞前記記憶部に記憶した前記水源の識別情報と前記水源の水位情報及び目標高情報と揚水ポンプの稼働状態を示す情報とに基づいて、地盤沈下の要因を解析する解析部を備える、＜１＞に記載の遠隔監視システム。
＜７＞前記画像作成装置は、地図に設定された地域を複数に分割したメッシュのうち、前記記憶部に記憶した前記水源の位置に該当するメッシュに、前記水源の１以上の前記項目を表した画像を作成する、＜１＞に記載の遠隔監視システム。
＜８＞前記画像作成部は、前記画像を少なくとも二分毎に更新する、＜１＞に記載の遠隔監視システム。
＜９＞一又は複数の送信装置と、該送信装置と通信を行うサーバと、画像作成装置とを備える遠隔監視システムが実行する遠隔監視方法であって、一又は複数の送信装置の各々が、水源の水位と、水質と、標高との少なくとも１以上の項目を計測するステップと、前記一又は複数の送信装置の各々が、サーバへ、前記計測するステップで計測した１以上の前記項目を表す情報と前記水源の識別情報とを含む計測情報を送信するステップと、前記サーバが、前記一又は複数の送信装置が送信した前記計測情報を受信するステップと、前記受信するステップで受信した前記計測情報に含まれる前記水源の識別情報と前記水源の１以上の前記項目とを関連付けて記憶するステップと、地図に設定された地域を複数に分割した領域のうち、記憶部に記憶した前記水源の位置に該当する領域に、前記記憶するステップで記憶した前記水源の１以上の前記項目を表した画像を作成するステップとを有する、遠隔監視方法。
＜１０＞サーバのコンピュータに、一又は複数の送信装置が送信した計測情報を受信するステップと、前記受信するステップで受信した前記計測情報に含まれる水源の識別情報と前記水源の水位と、水質と、標高との少なくとも１以上の項目とを関連付けて記憶するステップと、地図に設定された地域を複数に分割した領域のうち、前記記憶するステップで記憶した前記水源の位置に該当する領域に、前記記憶するステップで記憶した前記水源の１以上の前記項目を表した画像を作成するステップとを実行させる、遠隔監視プログラム。
＜１１＞水源の水位と、水質と、標高とのすくなくとも１以上の項目を計測し、計測した前記水源の１以上の前記項目を表す情報と、前記水源の識別情報と、を含む計測情報を送信する送信装置から送信される計測情報に基づいて、計測した前記水源の１以上の前記項目を表した画像を、地図に設定された地域を複数の領域に分割し、前記水源の位置に該当する前記領域に作成する、画像作成部を備える、画像作成装置。
＜１２＞前記送信装置から送信される前記計測情報に含まれる前記水源の識別情報と１以上の前記項目を表す情報とを関連付けて記憶する記憶部を備え、前記画像作成部は、前記水源の１以上の前記項目を表した画像を、地図に設定された地域を複数の領域に分割し、前記記憶部に記憶した前記水源の位置に該当する前記領域に作成する、＜１１＞に記載の画像作成装置。
＜１３＞前記計測情報が複数の水源の計測情報である、＜１１＞または＜１２＞に記載の画像作成装置。
＜１４＞前記画像作成部は、前記領域に、複数の前記送信装置の位置が該当する場合には、前記領域に、複数の前記送信装置が送信した前記計測情報に含まれる前記水源の１以上の前記項目を表す、＜１１＞に記載の画像作成装置。
＜１５＞前記画像作成部は、前記領域に、複数の前記送信装置が送信した前記計測情報に含まれる前記水源の１以上の前記計測情報を統計した結果を表す、＜１４＞に記載の画像作成装置。
＜１６＞前記画像作成部は、水位の計測結果の経年変化及び水質の計測結果の経年変化のいずれか一方又は両方を表す画像を表示する、＜１１＞に記載の画像作成装置。
＜１７＞前記画像作成部は、前記水源の１以上の前記項目を表す場合に、前記領域で要求されている基準との差を表す画像を表示する、＜１１＞に記載の画像作成装置。
＜１８＞前記地図は、地質図である、＜１１＞に記載の画像作成装置。
＜１９＞コンピュータが実行する画像作成方法において、水源の水位と、水質と、標高とのすくなくとも１以上の項目を計測し、計測した前記水源の１以上の前記項目を表す情報と、前記水源の識別情報とを含む計測情報を送信する送信装置各々から送信される計測情報を取得するステップと、前記取得するステップで取得した前記計測情報に基づいて、地図に設定された地域を複数に分割した領域のうち、前記水源の位置に該当する領域に、前記水源の１以上の前記項目を表した画像を作成するステップとを有する、画像作成方法。
＜２０＞コンピュータに、水源の水位と、水質と、標高とのすくなくとも１以上の項目を計測し、計測した前記水源の１以上の前記項目を表す情報と、前記水源の識別情報とを含む計測情報を送信する送信装置各々から送信される計測情報を取得するステップと、前記取得するステップで取得した前記計測情報に基づいて、地図に設定された地域を複数に分割した領域のうち、前記水源の位置に該当する領域に、前記水源の１以上の前記項目を表した画像を作成するステップとを実行させる、画像作成プログラム。
【発明の効果】
【０００７】
本発明の一態様により、水源が広域化した場合でも、該水源の水位、及び／又は水質を容易に把握できる遠隔監視システム、遠隔監視方法及び遠隔監視プログラムを提供することができる。
また、本発明の一態様により、地盤沈下の予測精度を向上できる遠隔監視システム、遠隔監視方法及びプログラムを提供することができる。
【図面の簡単な説明】
【０００８】
【図１】実施形態に係る遠隔監視システムの一例を示す図である。
【図２】実施形態に係る地下水膜ろ過システムの一例を示す図である。
【図３】第一の実施形態に係る地下水くみ上げシステムの一例を示す図である。
【図４】第一の実施形態に係る監視装置の一例を示す図である。
【図５】第一の実施形態に係る遠隔監視サーバの一例を示す図である。
【図６】計測情報テーブルの一例を示す図である。
【図７】第一の実施形態に係る端末装置の一例を示す図である。
【図８】第一の実施形態に係る遠隔監視サーバによって表示される水位情報表示画像の一例を示す図である。
【図９】第一の実施形態に係る遠隔監視サーバによって表示される水質情報表示画像の一例を示す図である。
【図１０】第一の実施形態に係る遠隔監視システムの動作の一例を示すシーケンスチャートである。
【図１１】変形例に係る遠隔監視サーバの一例を示す図である。
【図１２】第二の実施形態に係る地下水くみ上げシステムの一例を示す図である。
【図１３】第二の実施形態に係る監視装置の一例を示す図である。
【図１４】第二の実施形態に係る遠隔監視サーバの一例を示す図である。
【図１５】計測情報テーブルの一例を示す図である。
【図１６】第二の実施形態に係る端末装置の一例を示す図である。
【図１７】第二の実施形態に係る遠隔監視サーバによって表示される画像の一例を示す図である。
【図１８】第二の実施形態に係る遠隔監視システムの動作の一例を示すシーケンスチャートである。
【図１９】変形例に係る遠隔監視サーバの一例を示す図である。
【発明を実施するための形態】
【０００９】
（第一の実施形態）
以下、図面を参照して、実施形態に係る遠隔監視システム、遠隔監視方法、遠隔監視プログラム、画像作成装置、画像作成方法、及び画像作成プログラムについて説明する。
【００１０】
図１は、実施形態に係る遠隔監視システムの構成の一例を示す図である。図１に示される遠隔監視システム１は、地下水膜ろ過システムを遠隔監視するシステムを例示している。遠隔監視システム１は、地下水膜ろ過システム１００ａと地下水膜ろ過システム１００ｂと遠隔監視サーバ２００と端末装置３００とを備える。地下水膜ろ過システム１００ａと地下水膜ろ過システム１００ｂと遠隔監視サーバ２００と端末装置３００とは、インターネット、携帯電話網等の通信網を介して接続される。
【００１１】
地下水膜ろ過システム１００ａ及び地下水膜ろ過システム１００ｂは、井戸等の水源に設置され、膜ろ過処理によって、地下水を安全で、且つ安心な飲料水に変える分散型水道システムである。地下水膜ろ過システム１００ａ及び地下水膜ろ過システム１００ｂは、定期的又は不定期的に、水源の水位、及び／又は水質を計測する。地下水膜ろ過システム１００ａ及び地下水膜ろ過システム１００ｂは、定期的又は不定期的に、遠隔監視サーバ２００へ、計測した水源の水位情報（以下「水位情報」という）及び膜ろ過処理された水の水質情報（以下「水質情報」という）のいずれか一方又は両方を含む計測情報を送信する。
【００１２】
遠隔監視サーバ２００は、地下水膜ろ過システム１００ａ及び地下水膜ろ過システム１００ｂが送信した計測情報を受信すると、該計測情報に含まれる水位情報及び水質情報のいずれか一方又は両方を記憶する。
また、遠隔監視サーバ２００は、記憶した水位情報及び水質情報のいずれか一方又は両方を表示した（表した）画像を作成する。以下、水位情報を表示した（表した）画像を「水位情報表示画像」といい、水質情報を表示した（表した）画像を「水質情報表示画像」という。具体的には、遠隔監視サーバ２００は、緯度・経度に基づいて地域をほぼ同じ大きさの網の目に分けることによって、地図に正方形または四角形の領域（以下「メッシュ」ともいう）を、一つ一つ形成（表示する）する。そして、遠隔監視サーバ２００は、地下水膜ろ過システム１００ａ及び地下水膜ろ過システム１００ｂのいずれか一方又は両方が設置された位置を含む地域に形成（表示）されたメッシュのうち、地下水膜ろ過システム１００ａ及び地下水膜ろ過システム１００ｂの各々の位置に該当するメッシュに、水位情報又は水質情報を表す（表示する）。例えば、遠隔監視サーバ２００は、水位に応じて異なる色で、水位情報を表示する。また、遠隔監視サーバ２００は、水質に応じて異なる色で、水質情報を表示する。
本実施形態において、領域（メッシュ）は、前述の大きさ（ほぼ同じ大きさ）と形状（正方形または四角形）に限られない。メッシュの大きさや形状は異なっていても良く、任意に設定できる。例えば、地形に基づいて分割してメッシュを形成してもよいし、水脈の形状に基づいて分割してメッシュを形成してもよい。
また、地域を分割する境界（メッシュを形成する線）は直線でも曲線でもよい。直線を用いる場合に、直線は縦の線だけでも、横の線だけでも、斜めの線だけでも、これらの中から複数を組み合わせても良い。
【００１３】
遠隔監視サーバ２００は、端末装置３００が送信した表示要求情報を受信し、且つ該表示要求情報が水位情報表示画像を要求する情報を含む場合には、水位情報表示画像を作成し、作成した水位情報表示画像を、端末装置３００へ送信する。また、遠隔監視サーバ２００は、端末装置３００が送信した表示要求情報を受信し、且つ該表示要求情報が水質情報表示画像を要求する情報を含む場合には、水質情報表示画像を作成し、作成した水質情報表示画像を、端末装置３００へ送信する。
【００１４】
端末装置３００は、ユーザが操作を行うことによって、遠隔監視サーバ２００へ、表示要求情報を送信する。表示要求情報には、水位情報表示画像及び水質情報表示画像のいずれか一方又は両方の表示を要求する情報が含まれる。端末装置３００は、表示要求情報に対して遠隔監視サーバ２００が送信する水位情報表示画像及び水質情報表示画像のいずれか一方又は両方を受信すると、受信した水位情報表示画像又は水質情報表示画像を表示する。
以下、地下水膜ろ過システム１００ａと地下水膜ろ過システム１００ｂとを区別しない場合には、地下水膜ろ過システム１００と記載する。また、地下水膜ろ過システム１００が備える各構成についても同様である。
【００１５】
（地下水膜ろ過システム）
図２は、実施形態に係る地下水膜ろ過システムの概略構成図である。地下水膜ろ過システム１００は、地下水くみ上げシステム１０２と原水槽１０４と前ろ過器１０６と膜ろ過器１０８と処理水槽１１０と監視装置１１２と水質計１１４ａと受水槽１１６とを備える。
【００１６】
地下水くみ上げシステム１０２がくみ上げた地下水は、原水槽１０４に貯留される。前ろ過器１０６は、砂ろ過等の前処理として地下水くみ上げシステム１０２がくみ上げた地下水を通常の飲料水程度までろ過する。膜ろ過器１０８は、前ろ過器１０６で前処理された水をさらに各種ろ過器で処理し、より安全な飲料水を生成する。具体的には、膜ろ過器１０８は、前ろ過器１０６で前処理された水から、食中毒の原因となるＯ−１５７やクリプトスポリジウム等の細菌類や原虫類を除去する。処理水槽１１０は、膜ろ過器１０８によって細菌類や原虫類が除去された水を貯留する。
【００１７】
監視装置１１２は、処理水槽１１０に貯留された水の残留塩素濃度を連続的に測定記録する。監視装置１１２は、残留塩素濃度の測定結果が異常を示すものである場合、地下水膜ろ過システム１００を自動的に停止させる。水質計１１４ａは、処理水槽１１０に貯留された膜ろ過処理された水の水質を計測する。具体的には、水質計１１４ａは、水道水質基準に含まれる水質基準項目を計測する。
水質基準項目には、一般細菌、総トリハロメタン、大腸菌、トリクロロ酢酸、カドミウム及びその化合物、ブロモジクロロメタン、水銀及びその化合物、ブロモホルム、セレン及びその化合物、ホルムアルデヒド、鉛及びその化合物、亜鉛及びその化合物、ヒ素及びその化合物が含まれる。また、水質基準項目には、アルミニウム及びその化合物、六価クロム化合物、鉄及びその化合物、亜硝酸態窒素、銅及びその化合物、シアン化物イオン及び塩化シアン、ナトリウム及びその化合物、硝酸態窒素及び亜硝酸態窒素、マンガン及びその化合物、フッ素及びその化合物、塩化物イオンが含まれる。また、水質基準項目には、ホウ素及びその化合物、カルシウム、マグネシウム等（硬度）、四塩化炭素、蒸発残留物、１，４−ジオキサン、陰イオン界面活性剤、シス−１，２−ジクロロエチレン及びトランス−１，２−ジクロロエチレン、ジェオスミン、ジクロロメタン、２−メチルイソボルネオール、テトラクロロエチレンが含まれる。また、水質基準項目には、非イオン界面活性剤、トリクロロエチレン、フェノール類、ベンゼン、有機物（全有機炭素（ＴＯＣ）の量）、塩素酸、ｐＨ値、クロロ酢酸、味、クロロホルム、臭気、ジクロロ酢酸、色度、ジブロモクロロメタン、濁度、臭素酸が含まれる。
【００１８】
水質計１１４ａは、膜ろ過処理された水の水質の計測結果を含む水質情報を、監視装置１１２に出力する。監視装置１１２は、水質計１１４ａから水質情報を取得すると、該水質情報と水の残留塩素濃度の測定結果とを、遠隔監視サーバ２００へ送信する。受水槽１１６は、処理水槽１１０に貯留された水と公共水道とを貯留する。
【００１９】
（地下水くみ上げシステム）
図３は、第一の実施形態に係る地下水くみ上げシステムの一例を示す概略図である。地下水くみ上げシステム１０２は、井戸１１と、井戸１１内に湧出する地下水Ｗを汲み上げるポンプ１２及び揚水配管１３と、水位計１９とを備える。
【００２０】
井戸１１は、地面Ｇから下方に向かって帯水層Ｘまで掘削された掘削穴Ｈに挿入された気体不透過性の保護管１６を有する。保護管１６は、土砂崩落等から掘削穴Ｈを保護するための有底筒状の管である。保護管１６の底部近傍には、掘削穴Ｈに挿入した際の帯水層Ｘの位置に、帯水層Ｘの地下水を保護管１６内に取り込む取水口１６ａが形成されている。この取水口１６ａには、砂等が保護管１６内に侵入するのを防ぐための金網１７が取り付けられている。なお、「気体不透過性」とは、保護管１６から帯水層Ｘ等の土壌へ気体を透過させないことを意味する。
【００２１】
ポンプ１２および揚水配管１３は、井戸に用いられる公知のポンプ及び揚水配管を用いることができる。
【００２２】
水位計１９は、井戸内に湧出する地下水Ｗの水位を計測する。水位計１９の一例は気泡式水位計である。気泡式水位計は、開口端が水底に配置されたバブラチューブで水底に気泡を送り込むのに必要な圧力を計測することで水位を算出する。水位計１９は、地下水Ｗの水位の計測結果を含む水位情報を監視装置１１２へ送信する。
【００２３】
（監視装置）
図４は、第一の実施形態に係る監視装置の一例を示す。監視装置１１２は、通信部１５０と制御部１６０と記憶部１７０と上記各構成要素を図４に示されているように電気的に接続するためのアドレスバスやデータバス等のバスライン１８０とを備える。
通信部１５０は、通信モジュールによって実現される。通信部１５０は、通信網５０を経由して、遠隔監視サーバ２００と通信を行う。
【００２４】
制御部１６０は、例えばＣＰＵ（Central Processing Unit）等の演算処理装置によって構成され、記憶部１７０に記憶されたプログラム１７２を実行することにより、取得部１６２と判定部１６４と作成部１６６と処理制御部１６８として機能する。
取得部１６２は、処理水槽１１０に貯留された水の残留塩素濃度の測定結果を取得する。取得部１６２は、処理水槽１１０に貯留された水の残留塩素濃度の測定結果を取得すると、該処理水槽１１０に貯留された水の残留塩素濃度の測定結果を判定部１６４へ出力する。
また、取得部１６２は、水位計１９から水位情報を取得し、水質計１１４ａから水質情報を取得する。取得部１６２は、水位計１９から水位情報を取得すると、該水位情報を作成部１６６へ出力する。取得部１６２は、水質計１１４ａから水質情報を取得すると、該水質情報を作成部１６６へ出力する。
判定部１６４は、取得部１６２が出力した処理水槽１１０に貯留された水の残留塩素濃度の測定結果を取得すると、該水の残留塩素濃度と残留塩素濃度閾値とを比較する。判定部１６４は、該水の残留塩素濃度と残留塩素濃度閾値との比較結果を含む判定結果を、処理制御部１６８へ出力する。
【００２５】
作成部１６６は、取得部１６２が出力した水位情報及び水質情報のいずれか一方又は両方を取得すると、該水位情報及び該水質情報のいずれか一方又は両方と該水位情報及び該水質情報のいずれか一方又は両方が得られた水源の識別情報とを含む計測情報を作成する。水源の識別情報の一例は、地下水膜ろ過システム１００のＩＤ、水源種別、緯度、経度、管理会社、施工会社、使用開始年、井戸深度、井戸径等の識別情報である。作成部１６６は、計測情報を作成すると、該計測情報を通信部１５０から遠隔監視サーバ２００へ送信する。
【００２６】
処理制御部１６８は、判定部１６４が出力した判定結果を取得する。処理制御部１６８は、該判定結果に、水の残留塩素濃度が残留塩素濃度閾値以上であることを示す情報が含まれる場合には、地下水膜ろ過システム１００の処理を継続する。一方、処理制御部１６８は、該判定結果に、水の残留塩素濃度が残留塩素濃度閾値未満であることを示す情報が含まれる場合には、所定のエラー処理を行うようにしてもよい。具体的には、処理制御部１６８は、該判定結果に水の残留塩素濃度が残留塩素濃度閾値未満であることを示す情報が含まれる場合には、地下水膜ろ過システム１００の処理を停止させるとともに、アラームを鳴らす。
記憶部１７０は、不揮発性メモリ等の記憶装置によって実現される。記憶部１７０は、プログラム１７２を記憶する。
【００２７】
（遠隔監視サーバ）
図５は、第一の実施形態に係る遠隔監視サーバの一例を示す。遠隔監視サーバ２００は、通信部２５０と制御部２６０と記憶部２７０と上記各構成要素を図５に示されているように電気的に接続するためのアドレスバスやデータバス等のバスライン２９０とを備える。
通信部２５０は、通信モジュールによって実現される。通信部２５０は、通信網５０を経由して、監視装置１１２及び端末装置３００と通信を行う。通信部２５０は、監視装置１１２が送信した計測情報を受信する。通信部２５０は、計測情報を受信すると、該計測情報を制御部２６０へ出力する。
また、通信部２５０は、端末装置３００が送信した表示要求情報を受信する。通信部２５０は、表示要求情報を受信すると、該表示要求情報を制御部２６０へ出力する。通信部２５０は、表示要求情報に対して、制御部２６０が出力した水位情報表示画像及び水質情報表示画像のいずれか一方又は両方を含む表示画面情報を取得すると、該表示画面情報を端末装置３００へ送信する。
【００２８】
制御部２６０は、例えば演算処理装置によって構成され、記憶部２７０に記憶されたプログラム２７２を実行することにより、記憶処理部２６２と表示画像作成部２６４として機能する。
記憶処理部２６２は、通信部２５０が出力した計測情報を取得すると、該計測情報に含まれる水位情報及び水質情報のいずれか一方又は両方と該水位情報及び該水質情報のいずれか一方又は両方が得られた水源の識別情報とを取得する。記憶処理部２６２は、該水位位情報及び該水質情報のいずれか一方又は両方と該水源の識別情報とを取得すると、該水源の識別情報と該水位情報及び該水質情報のいずれか一方又は両方とを関連付けて、記憶部２７０の計測情報テーブル２７４に記憶する。
【００２９】
（計測情報テーブル）
図６は、計測情報テーブルの一例を示す。計測情報テーブル２７４は、地下水膜ろ過システム１００等の水源の識別情報毎に、計測情報を取得した日時と該計測情報に含まれる水位情報及び水質情報のいずれか一方又は両方とを関連付けて記憶する。図６に示される例では、取得日時「2016．11.10」と地下水膜ろ過システム１００ａの水位情報「ａａａ」と水質情報「ｘｘｘ」とが関連付けられている。なお、計測情報テーブル２７４には、地下水膜ろ過システム１００のＩＤと地下水膜ろ過システムが設置された位置を示す情報（緯度、経度）とが関連付けて記憶されている。
【００３０】
表示画像作成部２６４は、通信部２５０が出力した表示要求情報を取得する。表示画像作成部２６４は、該表示要求情報に水位情報表示画像を要求する情報が含まれる場合に、計測情報テーブル２７４を参照し、地下水膜ろ過システム１００ａ及び地下水膜ろ過システム１００ｂのいずれか一方又は両方が設置された位置を示す情報を取得する。
表示画像作成部２６４は、地下水膜ろ過システム１００ａ及び地下水膜ろ過システム１００ｂのいずれか一方又は両方が設置された位置を示す情報を取得すると、該地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水位情報を表した水位情報表示画像を作成する。
ただし、表示画像作成部２６４は、一つのメッシュに、地下水膜ろ過システム１００ａ及び地下水膜ろ過システム１００ｂの位置が含まれる場合には、該一つのメッシュに地下水膜ろ過システム１００ａの水位情報と地下水膜ろ過システム１００ｂの水位情報とを統計処理した結果を表す。具体的には、表示画像作成部２６４は、該一つのメッシュに地下水膜ろ過システム１００ａの水位情報と地下水膜ろ過システム１００ｂの水位情報とを平均化した結果を表す。平均化する方法の具体例としては、算術平均、幾何平均、平方平均、調和平均、加重平均等が挙げられる。
【００３１】
また、表示画像作成部２６４は、該表示要求情報に水質情報表示画像を要求する情報が含まれる場合に、計測情報テーブル２７４を参照し、地下水膜ろ過システム１００ａ及び地下水膜ろ過システム１００ｂのいずれか一方又は両方が設置された位置を示す情報を取得する。
表示画像作成部２６４は、地下水膜ろ過システム１００ａ及び地下水膜ろ過システム１００ｂのいずれか一方又は両方が設置された位置を示す情報を取得すると、該地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水質情報を表した水質情報表示画像を作成する。
ただし、表示画像作成部２６４は、一つのメッシュに、地下水膜ろ過システム１００ａ及び地下水膜ろ過システム１００ｂの位置が含まれる場合には、該一つのメッシュに地下水膜ろ過システム１００ａの水質情報と地下水膜ろ過システム１００ｂの水質情報とを統計処理した結果を表す。具体的には、表示画像作成部２６４は、該一つのメッシュに地下水膜ろ過システム１００ａの水質情報と地下水膜ろ過システム１００ｂの水質情報とを平均化した結果を表す。
【００３２】
表示画像作成部２６４は、水位情報表示画像及び水質情報表示画像のいずれか一方又は両方を作成すると、該水位情報表示画像及び該水質情報表示画像のいずれか一方又は両方を含む表示画面情報を通信部２５０へ出力する。
記憶部２７０は、不揮発性メモリ等の記憶装置によって実現される。記憶部２７０は、プログラム２７２と計測情報テーブル２７４とを記憶する。
【００３３】
（端末装置）
図７は、第一の実施形態に係る端末装置の一例を示す。端末装置３００は、通信部３５０と制御部３６０と記憶部３７０とディスプレイ３８０と操作部３８５と上記各構成要素を図７に示されているように電気的に接続するためのアドレスバスやデータバス等のバスライン３９０とを備える。
通信部３５０は、通信モジュールによって実現される。通信部３５０は、通信網５０を経由して、遠隔監視サーバ２００と通信を行う。通信部３５０は、遠隔監視サーバ２００へ、表示要求情報を送信する。表示要求情報には、水位情報表示画像及び水質情報表示画像のいずれか一方又は両方の表示を要求する情報が含まれる。通信部３５０は、表示要求情報に対して、遠隔監視サーバ２００が送信した表示画面情報を受信すると、該表示画面情報を制御部３６０へ出力する。
【００３４】
制御部３６０は、例えば演算処理装置によって構成され、記憶部３７０に記憶されたプログラム３７２とアプリ３７６とを実行する。
制御部３６０は、アプリ３７６を実行することによって、以下の処理を行う。制御部３６０は、ユーザが操作部３８５に対して、水位情報表示画像及び水質情報表示画像のいずれか一方又は両方を表示する操作を行うと、水位情報表示画像及び水質情報表示画像のいずれか一方又は両方の表示を要求する情報を含む表示要求情報を作成する。制御部３６０は、表示要求情報を作成すると、該表示要求情報を、通信部３５０から遠隔監視サーバ２００へ送信する。制御部３６０は、通信部３５０から、表示画面情報を取得すると、ディスプレイ３８０に該表示画面情報に含まれる水位情報表示画像及び水質情報表示画像のいずれか一方又は両方を表示する。
【００３５】
記憶部３７０は、不揮発性メモリ等の記憶装置によって実現される。記憶部３７０は、プログラム３７２とアプリ３７６とを記憶する。
ディスプレイ３８０は、制御部３６０によって制御され、画像、ＧＵＩ（Ｇｒａｐｈｉｃａｌ  Ｕｓｅｒ  Ｉｎｔｅｒｆａｃｅ）等を表示する。
操作部３８５は、ユーザの操作を受け付ける入力デバイスである。
【００３６】
図８は、ユーザが操作部３８５に対して水位情報表示画像を表示することを要求する操作を行った場合に、ディスプレイ３８０に表示される水位情報表示画像の一例を示す。図８に示される例では、複数の地下水膜ろ過システム１００に含まれる監視装置１１２が送信した水位情報が示されている。地図に設定された地域を複数に分割することによって得られる複数のメッシュ（領域）のうち、水源の位置に該当するメッシュが、水位に応じて異なる色で塗りつぶされている。表示に使用する地図において、分割の対象とする地域は、目的に応じて任意に設定することができる。領域とは、地域を複数に分割して得られた最小単位の区画をいう。
これによって、水位情報表示画像を表示することを要求する操作を行ったユーザは、複数の地点で観測された水位の各々を、面的にとらえることができる。図８に示される例では、色の代わりに、水位に応じて異なるハッチングで示している。
【００３７】
図９は、ユーザが操作部３８５に対して水質情報表示画像を表示することを要求する操作を行った場合に、ディスプレイ３８０に表示される水質情報表示画像の一例を示す。図９に示される例では、複数の地下水膜ろ過システム１００に含まれる監視装置１１２が送信した水質情報が示されている。地図に設定された地域を複数に分割することによって得られる複数のメッシュのうち、水源の位置に該当するメッシュが、水質に応じて異なる色で塗りつぶされている。
これによって、水質情報表示画像を表示することを要求する操作を行ったユーザは、複数の地点で観測された水質の各々を、面的にとらえることができる。図９に示される例では、塩化物イオンの含有量に応じて、異なるハッチングで示している。
【００３８】
（遠隔監視システムの動作）
図１０は、第一の実施形態に係る遠隔監視システムの動作の一例を示すシーケンスチャートである。図１０に示される例では、監視装置１１２は、水位計１９による水源の水位の計測結果を含む水位情報と水質計１１４ａによる水源の水質の計測結果を含む水質情報とを含む計測情報を作成する場合について説明する。
ステップＳ１００２では、水位計１９は、井戸等の水源に湧出する地下水Ｗの水位を計測する。水位計１９は、地下水Ｗの水位の計測結果を含む水位情報を、監視装置１１２へ送信する。
ステップＳ１００４では、水質計１１４ａは、処理水槽１１０に貯留された水の水質を計測する。水質計１１４ａは、水質の測定結果を含む水質情報を、監視装置１１２に出力する。
【００３９】
ステップＳ１００６では、監視装置１１２の通信部１５０は、水位計１９が送信した水位情報と水質計１１４ａが送信した水質情報とを受信する。監視装置１１２の取得部１６２は、通信部１５０が受信した水位情報と水質情報とを取得すると、該水位情報と該水質情報とを作成部１６６へ出力する。作成部１６６は、取得部１６２が出力した該水位情報と該水質情報とを取得すると、該水位情報と該水質情報と水源の識別情報とを含む計測情報を作成する。作成部１６６は、計測情報を作成すると、該計測情報を通信部１５０へ出力する。
【００４０】
ステップＳ１００８では、監視装置１１２の通信部１５０は、作成部１６６が出力した計測情報を取得すると、該計測情報を遠隔監視サーバ２００へ送信する。
ステップＳ１０１０では、遠隔監視サーバ２００の通信部２５０は、監視装置１１２が送信した計測情報を受信すると、該計測情報を記憶処理部２６２へ出力する。記憶処理部２６２は、通信部２５０が出力した計測情報を取得すると、該計測情報に含まれる水位情報と水質情報と水源の識別情報とを取得する。記憶処理部２６２は、水位情報と水質情報と水源の識別情報とを取得すると、該水位情報と該水質情報と該水源の識別情報とを関連付けて記憶部２７０の計測情報テーブル２７４へ記憶する。
【００４１】
ステップＳ１０１２では、端末装置３００の制御部３６０は、ユーザが操作部３８５に対してアプリ３７６を起動する操作を行うことによって、アプリ３７６を起動させる。制御部３６０は、アプリ３７６が起動した後に、ユーザが操作部３８５に対して水位情報表示画像及び水質情報表示画像のいずれか一方又は両方の表示を要求する操作を行うと、水位情報表示画像及び水質情報表示画像のいずれか一方又は両方の表示を要求する情報を含む表示要求情報を作成する。制御部３６０は、通信部３５０へ、表示要求情報を出力する。
ステップＳ１０１４では、端末装置３００の通信部３５０は、制御部３６０が出力した表示要求情報を取得すると、該表示要求情報を、遠隔監視サーバ２００へ送信する。
【００４２】
ステップＳ１０１６では、遠隔監視サーバ２００の通信部２５０は、端末装置３００が送信した表示要求情報を受信する。表示画像作成部２６４は、通信部２５０から表示要求情報を取得すると、該表示要求情報に水位情報表示画像を要求する情報が含まれる場合には、水位情報表示画像を作成する。
また、表示画像作成部２６４は、該表示要求情報に水質情報表示画像を要求する情報が含まれる場合には、水質情報表示画像を作成する。表示画像作成部２６４は、水位情報表示画像及び水質情報表示画像のいずれか一方又は両方を作成すると、該水位情報表示画像及び該水質情報表示画像のいずれか一方又は両方を含む表示画面情報を、通信部２５０へ出力する。
ステップＳ１０１８では、遠隔監視サーバ２００の通信部２５０は、表示画像作成部２６４が出力した表示画像情報を取得すると、該表示画像情報を端末装置３００へ送信する。
ステップＳ１０２０では、端末装置３００の通信部３５０は、遠隔監視サーバ２００が送信した表示画像情報を受信する。制御部３６０は、通信部３５０から表示画像情報を取得すると、該表示画像情報に含まれる水位情報表示画像及び水質情報表示画像のいずれか一方又は両方をディスプレイ３８０に表示する。
【００４３】
実施形態に係る遠隔監視システムによれば、地下水膜ろ過システム１００に含まれる監視装置１１２は、水位計１９による水位の計測結果を含む水位情報及び水質計１１４ａによる水質の計測結果を含む水質情報のいずれか一方又は両方を取得する。監視装置１１２は、水位情報及び水質情報のいずれか一方又は両方を取得すると、該水位情報及び該水質情報のいずれか一方又は両方を含む計測情報を、遠隔監視サーバ２００へ送信する。
遠隔監視サーバ２００は、監視装置１１２が送信した計測情報を受信すると、該計測情報に含まれる水位情報及び水質情報のいずれか一方又は両方と水源の識別情報とを取得する。遠隔監視サーバ２００は、該水位情報及び該水質情報のいずれか一方又は両方と該水源の識別情報とを取得すると、該水位情報及び該水質情報のいずれか一方又は両方と該水源の識別情報とを関連付けて記憶する。そして、遠隔監視サーバ２００は、端末装置３００が送信した表示要求情報に応じて、地図に設定された地域を複数に分割したメッシュに、複数の地点で観測された計測情報を表した水位情報表示画像及び水質情報表示画像のいずれか一方又は両方を含む表示画像情報を作成する。地図に設定された地域の設定は、任意に設定することができる。遠隔監視サーバ２００は、表示画像情報を作成すると、作成した表示画像情報を、端末装置３００へ送信する。
端末装置３００は、遠隔監視サーバ２００が送信した表示画像情報を受信すると、該表示画像情報に含まれる水位情報表示画像及び水質情報表示画像のいずれか一方又は両方を処理することによって、表示する。
【００４４】
このように構成することによって、一般的な観測井戸で計測される情報を使用する場合と比較して、リアルタイムに近い情報を取得できる。リアルタイムに近い情報を取得できることによって、計測情報の変化を精度よくとらえることができる。表示画像情報は、所定の周期で更新されてもよい。水源をくみ上げるときに、特に地下水と湖沼水の場合には、水位が分単位で下がるため、監視の間隔はなるべく短い方がよい。具体的には、五分よりも短い期間毎に更新するのが好ましく、少なくとも二分毎に更新するのがより好ましい。また、多数の地点における地下水の水位及び／又は水質を一元的に、自動的に遠隔監視できる。また、メッシュ画像を時系列に並べることによって、井戸の水位の変化と、水質の変化とを面的且つ動的に把握することができる。
【００４５】
水質の変化をリアルタイムで観測できることによって、地下水盆の塩水化の広がりを面的にとらえることができる。また、飲料水源として利用している地下水の水質変動の把握や、地下水の水質変動に伴う水質事故のリスクを早期に予見することに活用できる。具体的には、帯水層毎に水質データを計測することによって、どの深度の地下水で水質変動が起きているのかを面的に把握し、予測することができる。
隣接するメッシュに表される水位及び／又は水質を比較することによって、該メッシュに該当する地点に限らず、該地点の周辺の地点や地下水脈に生じている変化を推定することができる。計測情報の数が増加する程、推定精度を向上させることができる。
【００４６】
（変形例（その１））
変形例に係る遠隔監視システムは、図１を適用できる。
変形例に係る遠隔監視システムでは、水位計１９は、水源の静水位と動水位とを計測する。そして、水位計１９が計測した静水位の計測結果、動水位の計測結果等の水位情報と水源の識別情報とを含む計測情報を監視装置１１２へ送信する。
遠隔監視サーバ２００は、地下水膜ろ過システム１００ａ及び地下水膜ろ過システム１００ｂが送信した計測情報を受信すると、該計測情報に含まれる水位情報と水源の識別情報とを取得する。遠隔監視サーバ２００は、該水位情報と水源の識別情報とを取得すると、該水位情報と水源の識別情報とを関連付けて記憶する。
【００４７】
遠隔監視サーバ２００は、記憶した水位情報を表示した水位情報表示画像を作成する。
遠隔監視サーバ２００は、地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水位情報を表す。例えば、遠隔監視サーバ２００は、水位に応じて異なる色で、水位情報を表示する。
【００４８】
遠隔監視サーバ２００は、端末装置３００が送信した表示要求情報を受信し、且つ該表示要求情報が水位情報表示画像を要求する情報を含む場合には、水位情報表示画像を作成し、作成した水位情報表示画像を、端末装置３００へ送信する。具体的には、遠隔監視サーバ２００は、地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水位情報（静水位又は動水位）を表す。例えば、遠隔監視サーバ２００は、水位に応じて異なる色で、水位情報を表示する。
【００４９】
変形例に係る遠隔監視システム１によれば、遠隔監視サーバ２００は、端末装置３００が送信した表示要求情報に応じて、計測情報テーブル２７４に記憶した水位情報（静水位又は動水位）を取得し、該水位情報を、地下水膜ろ過システム１００ａ及び地下水膜ろ過システム１００ｂのいずれか一方又は両方の位置に該当するメッシュに表示することによって表示画像情報を作成する。
具体的には、遠隔監視サーバ２００は、該水位情報に含まれる静水位及び動水位のいずれか一方又は両方を、地下水膜ろ過システム１００ａ及び地下水膜ろ過システム１００ｂのいずれか一方又は両方の位置に該当するメッシュに表示することによって水位情報表示画像を作成する。このように構成することによって、一般的な観測井戸で計測される情報を使用する場合と比較して、リアルタイムに近い情報を取得できる。リアルタイムに近い情報を取得できることによって、静水位及び動水位のいずれか一方又は両方の変化を精度よくとらえることができる。さらに、井戸の水位の変化をリアルタイムで観測できることによって、井戸の水位と揚水ポンプの発停信号の計測とを組み合わせることによって、静水位及び動水位の長期的な挙動を面的にとらえることができる。
【００５０】
（変形例（その２））
変形例に係る遠隔監視システムは、図１を適用できる。
変形例に係る遠隔監視システムは、前述した第１の実施形態に係る遠隔監視サーバ２００の代わりに、遠隔監視サーバ４００を備える。
遠隔監視サーバ４００は、地下水膜ろ過システム１００ａ及び地下水膜ろ過システム１００ｂの各々について、初期の水位と初期の水質とを記憶している。遠隔監視サーバ４００は、地下水膜ろ過システム１００ａ及び地下水膜ろ過システム１００ｂが送信した計測情報を受信すると、該計測情報に含まれる水位情報及び水質情報のいずれか一方又は両方と水源の識別情報とを取得する。遠隔監視サーバ４００は、該水位情報及び該水質情報のいずれか一方又は両方と水源の識別情報とを取得すると、該水位情報及び該水質情報のいずれか一方又は両方と水源の識別情報とを関連づけて記憶する。
【００５１】
遠隔監視サーバ４００は、端末装置３００が送信した表示要求情報を受信すると、計測情報テーブル２７４を参照し、地下水膜ろ過システム１００の各々について、水位情報及び水質情報のいずれか一方又は両方を取得する。遠隔監視サーバ４００は、水位情報及び水質情報のいずれか一方又は両方を取得すると、該水位情報に含まれる水位の計測結果と初期の水量（基準データ）との差分の算出結果及び該水質情報に含まれる水質の測定結果と初期の水質（基準データ）との差分の算出結果のいずれか一方又は両方を、地下水膜ろ過システム１００ａ及び地下水膜ろ過システム１００ｂのいずれか一方又は両方の位置に該当するメッシュに表す。ここでは、基準データの一例として、初期の水量や、初期の水質を用いて説明したが、この例に限られない。例えば、基準データとして、基準とする日時の水量や水質を使用してもよい。
【００５２】
また、遠隔監視サーバ４００は、端末装置３００が送信した表示要求情報が水位情報表示画像を要求する情報を含む場合には、水位情報表示画像を作成し、作成した水位情報表示画像を、端末装置３００へ送信する。また、遠隔監視サーバ４００は、端末装置３００が送信した表示要求情報が水質情報表示画像を要求する情報を含む場合には、水質情報表示画像を作成し、作成した水質情報表示画像を送信する。
【００５３】
（遠隔監視サーバ）
図１１は、変形例に係る遠隔監視サーバの一例を示す。遠隔監視サーバ４００は、通信部４５０と制御部４６０と記憶部４７０と上記各構成要素を図１１に示されているように電気的に接続するためのアドレスバスやデータバス等のバスライン４９０とを備える。
通信部４５０、記憶部４７０、ディスプレイ４８０及び操作部４８５は、図５を参照して説明した遠隔監視サーバ２００の通信部２５０、記憶部２７０、ディスプレイ２８０及び操作部２８５を適用できる。
【００５４】
制御部４６０は、例えば演算処理装置によって構成され、記憶部４７０に記憶されたプログラム４７２を実行することにより、記憶処理部４６２と表示画像作成部４６４と演算部４６６として機能する。
記憶処理部４６２は、図５を参照して説明した遠隔監視サーバ４００の記憶処理部２６２を適用できる。
表示画像作成部４６４は、通信部４５０が出力した表示要求情報を取得すると、記憶部４７０の計測情報テーブル４７４に記憶されている水位情報及び水質情報のいずれか一方又は両方を取得し、該水位情報及び該水質情報のいずれか一方又は両方を、演算部４６６へ出力する。
【００５５】
演算部４６６は、初期の水位と初期の水質とを記憶する。演算部４６６は、表示画像作成部４６４が出力した計測情報を取得すると、該計測情報に含まれる水位情報及び水質情報のいずれか一方又は両方を取得する。演算部４６６は、水位情報に含まれる水位の計測結果と初期の水位との差分の算出結果及び水質情報に含まれる水質の計測結果と初期の水質との差分の算出結果のいずれか一方又は両方を算出する。演算部４６６は、水位の計測結果と初期の水位との差分の算出結果及び水質の計測結果と初期の水質との差分の算出結果のいずれか一方又は両方を、表示画像作成部４６４へ出力する。
【００５６】
表示画像作成部４６４は、通信部４５０が出力した表示要求情報を取得する。表示画像作成部４６４は、該表示要求情報に水位情報表示画像を要求する情報が含まれる場合に、地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水位の計測結果と初期の水位との差分の算出結果を表した水位情報表示画像を作成する。
また、表示画像作成部４６４は、該表示要求情報に水質情報表示画像を要求する情報が含まれる場合に、地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水質の計測結果と初期の水質との差分の算出結果を表した水質情報表示画像を作成する。
表示画像作成部４６４は、水位情報表示画像及び水質情報表示画像のいずれか一方又は両方を作成すると、該水位情報表示画像及び該水質情報表示画像のいずれか一方又は両方を含む表示画面情報を通信部４５０へ出力する。
【００５７】
（遠隔監視システムの動作）
変形例に係る遠隔監視システムの動作の一例は、前述した実施形態に係る遠隔監視システムの動作を適応できる。ただし、ステップＳ１０１６では、遠隔監視サーバ４００の通信部４５０は、端末装置３００が送信した表示要求情報を受信する。
【００５８】
表示画像作成部４６４は、通信部４５０から表示要求情報を取得すると、該表示要求情報に水位情報表示画像を要求する情報が含まれる場合に、記憶部４７０の計測情報テーブル４７４に記憶された水位情報を取得し、取得した水位情報を、演算部４６６へ出力する。演算部４６６は、表示画像作成部４６４が出力した水位情報を取得すると、水位情報に含まれる水位の計測結果と初期の水位との差分を算出する。演算部４６６は、水位の計測結果と初期の水位との差分を、表示画像作成部４６４へ出力する。
【００５９】
表示画像作成部４６４は、演算部４６６が出力した水位の計測結果と初期の水位との差分を取得すると、地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水位の計測結果と初期の水位との差分を表した水位情報表示画像を作成する。
【００６０】
表示画像作成部４６４は、通信部４５０から表示要求情報を取得すると、該表示要求情報に水質情報表示画像を要求する情報が含まれる場合に、記憶部４７０の計測情報テーブル４７４に記憶された水質情報を取得し、取得した水質情報を、演算部４６６へ出力する。演算部４６６は、表示画像作成部４６４が出力した水質情報を取得すると、水質情報に含まれる水質の計測結果と初期の水質との差分を算出する。演算部４６６は、水質の計測結果と初期の水質との差分を、表示画像作成部４６４へ出力する。
【００６１】
表示画像作成部４６４は、演算部４６６が出力した水質の計測結果と初期の水質との差分を取得すると、地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水質の計測結果と初期の水質との差分を表した水質情報表示画像を作成する。
表示画像作成部４６４は、水位情報表示画像及び水質情報表示画像のいずれか一方又は両方を作成すると、該水位情報表示画像及び該水質情報表示画像のいずれか一方又は両方を含む表示画面情報を、通信部４５０へ出力する。
【００６２】
前述した変形例においては、演算部４６６が、水位の計測結果と初期の水位との差分と水質の計測結果と初期の水質との差分とを算出する場合について説明したが、この限りでない。例えば、演算部４６６は、水位の計測結果の変動の割合及び水質の計測結果の変動の割合のいずれか一方又は両方を算出するようにしてもよい。さらに、演算部４６６は、水位の計測結果の変動の割合及び水質の計測結果の変動の割合に基づいて、将来の水位及び水質を予測するようにしてもよい。
具体的には、直近３日間で動水位が３メートル低下した場合、水源の水の導電率が２０％上昇する可能性があることを予測できる。また、例えば、演算部４６６は、水位の計測結果の経年変化及び水質の計測結果の経年変化のいずれか一方又は両方を算出式（１）により、算出するようにしてもよい。
経年変化＝（所定日時１における水質の測定値−所定日時２における水質の測定値）／所定期間      （１）
所定日時１は例えば、汲み上げ時として設定してもよい。所定日時２は例えば、今（経年変化を導出するとき）のタイミングとして設定してもよい。
【００６３】
変形例に係る遠隔監視システムによれば、遠隔監視サーバ４００は、端末装置３００が送信した表示要求情報に応じて、計測情報テーブル４７４に記憶されている水位情報及び水質情報のいずれか一方又は両方を取得し、該水位情報に含まれる水位の計測結果と初期の水位との差分及び該水質情報に含まれる水質の計測結果と初期の水質のいずれか一方又は両方を算出する。そして、遠隔監視サーバ４００は、水位の計測結果量と初期の水量との差分及び該水質と初期の水質との差分のいずれか一方又は両方を、地下水膜ろ過システム１００ａ及び地下水膜ろ過システム１００ｂのいずれか一方又は両方の位置に該当するメッシュに表示することによって表示画像情報を作成する。
このように構成することによって、一般的な観測井戸で計測される情報を使用する場合と比較して、リアルタイムに近い情報を取得できる。リアルタイムに近い情報を取得できることによって、計測情報の変化を精度よくとらえることができる。
【００６４】
さらに、水位の計測結果と初期の水位との差分及び水質の計測結果と初期の水質を表示できることによって、水位の計測結果の初期の水位からの変化及び水質の計測結果の初期の水質からの変化のいずれか一方又は両方を表示できるため、水位の計測結果の変化及び水質の計測結果の変化のいずれか一方又は両方をより精度よくとらえることができる。
【００６５】
前述した実施形態及び変形例においては、水源の一例として井戸について説明したが、この例に限られない。例えば、河川にも適用できる。この場合、地下水膜ろ過システム１００ａ及び地下水膜ろ過システム１００ｂには、河川等の水源に設置され、膜ろ過処理によって、河川水を安全で、且つ安心な飲料水に変える分散型水道システムが適用される。
前述した実施形態及び変形例においては、遠隔監視サーバ２００が、地図で、地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水位情報又は水質情報を表す場合について説明したが、この例に限られない。
例えば、遠隔監視サーバ２００は、地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水位情報及び水質情報を表すようにしてもよい。
具体的には、地図に設定された地域を複数に分割することによって、メッシュ状に分割した領域（メッシュ）を表示し、表示したメッシュの各々に、水位情報又は水質情報を表す（表示する）ようにしてもよいし、表示したメッシュの枠と内部との各々に、水位情報又は水質情報を表す（表示する）ようにしてもよい。また、地下水膜ろ過システム１００ａと、地下水膜ろ過システム１００ｂとの各々の水位情報を、一つのメッシュの枠内に表す（表示する）ことなどによって、二つ以上の項目を、一つのメッシュに表す（表示する）ようにしてもよい。
この場合、遠隔監視サーバ２００は、端末装置３００が送信した表示要求情報を受信し、且つ該表示要求情報が水位情報表示画像と水質情報表示画像とを要求する情報を含む場合には、水位情報表示画像と水質情報表示画像とを含む水位水質情報表示画像を作成し、作成した水位水質情報表示画像を、端末装置３００へ送信する。
【００６６】
前述した実施形態及び変形例においては、表示画像作成部２６４が、一つのメッシュに、地下水膜ろ過システム１００ａ及び地下水膜ろ過システム１００ｂの位置が含まれる場合に、該一つのメッシュに地下水膜ろ過システム１００ａの水位情報と地下水膜ろ過システム１００ｂの水位情報とを統計処理した結果を表す場合について説明したが、この例に限られない。
例えば、地図に、メッシュ状に分割した領域（メッシュ）を表示し、表示したメッシュの各々に、地下水膜ろ過システム１００ａの水位情報又は地下水膜ろ過システム１００ｂの水位情報を表す（表示する）ようにしてもよいし、メッシュの枠と内部との各々に、水位情報又は水質情報を表す（表示する）ようにしてもよい。
また、例えば、地図に、水脈の形状により、大きさが異なるメッシュ状に分割した領域（メッシュ）を表示し、表示したメッシュの各々に、地下水膜ろ過システム１００ａの水位情報又は地下水膜ろ過システム１００ｂの水位情報を表す（表示する）ようにしてもよいし、メッシュの枠と内部との各々に、水位情報又は水質情報を表す（表示する）ようにしてもよい。
また、例えば、地図に、メッシュ状に分割した領域（メッシュ）を表示し、表示したメッシュの各々に、地下水膜ろ過システム１００ａの水位情報又は地下水膜ろ過システム１００ｂの水位情報を表す（表示する）ことなどによって、一つメッシュの枠内に、二つ以上の項目を表す（表示する）ようにしてもよい。二つ以上の項目は例えば、二つの水源の水位でもよいし、二つの所定期間に測定された項目でもよい。
前述した実施形態及び変形例においては、表示画像作成部２６４が、一つのメッシュに、地下水膜ろ過システム１００ａ及び地下水膜ろ過システム１００ｂの位置が含まれる場合に、該一つのメッシュに地下水膜ろ過システム１００ａの水質情報と地下水膜ろ過システム１００ｂの水質情報とを統計処理した結果を表す場合について説明したが、この例に限られない。
例えば、地図に設定された地域を複数の領域に分割することによってメッシュ状に分割した領域（メッシュ）を表示し、分割したメッシュの各々に、地下水膜ろ過システム１００ａの水質情報又は地下水膜ろ過システム１００ｂの水質情報を表すようにしてもよいし、メッシュの枠と内部との各々に、地下水膜ろ過システム１００ａの水質情報又は地下水膜ろ過システム１００ｂの水質情報を表すようにしてもよい。
また、例えば、地図に設定された地域を複数に分割することによってメッシュ状に分割した領域（メッシュ）を表示し、表示したメッシュの各々に、地下水膜ろ過システム１００ａの水質情報又は地下水膜ろ過システム１００ｂの水質情報を表す（表示する）場合に、その領域で要求されている基準との差を表す（表示する）ようにしてもよい。
また、例えば、メッシュの枠と内部との各々に、地下水膜ろ過システム１００ａの水質情報又は地下水膜ろ過システム１００ｂの水質情報を表す（表示する）場合に、その領域で要求されている基準との差を表す（表示する）ようにしてもよい。
また、水源の情報を把握しやすくするために、複数の領域に同一の基準を設定しても、全ての領域に同一の基準を設定してもよい。前記複数の領域の選定には河川や地下水脈等の既知の情報を目的に応じて利用することができる。
ここで、基準はその領域で要求されている基準に限らず、任意に指定してもよい。例えば、所定日時に測定された項目を基準とするようにしてもよい。ここで、所定日時は例えば、汲み上げ時として設定してもよい。また、今（水質情報などを表すとき）のタイミングに測定された項目との差を表す（表示する）ようにしてもよい。ここで、項目の詳細例としては、水源の水位、水源の水質、水源の標高等が挙げられる。
【００６７】
また、前述した実施形態及び変形例においては、遠隔監視サーバ２００が、監視装置１１２が送信した計測情報を受信し、受信した計測情報を、記憶部２７０に記憶する。そして、遠隔監視サーバ２００は、記憶した計測情報に基づいて、表示画面情報を作成する場合について説明したが、この例に限られない。例えば、遠隔監視サーバ２００が、監視装置１１２が送信した計測情報を受信し、受信した計測情報を記憶することなく、表示画面情報を作成するようにしてもよい。このように構成することによって、記憶する処理を省略できるため、処理を簡略化できる。
また、前述した実施形態及び変形例においては、地下水膜ろ過システム１００において、膜ろ過処理された水の水質が計測される場合について説明したが、この例に限られない。例えば、膜ろ過のほかにもさらに砂ろ過や、活性炭ろ過や、凝集剤による沈殿や、薬品注入による水処理等、全ての水の浄化方法を含む。また、処理水だけではなく、未処理水の水質が計測されてもよい。
また、前述した実施形態及び変形例においては、遠隔監視システム１が地下水膜ろ過システム１００ａと地下水膜ろ過システム１００ｂとを備える場合について説明したが、この例に限られない。例えば、遠隔監視システム１が備える地下水膜ろ過システムは１個であってもよいし、３個以上であってもよい。
【００６８】
前述した実施形態及び変形例においては、水位計１９の一例として気泡式水位計について説明したが、この例に限られない。例えば、投込式水位計を使用するようにしてもよい。
前述した実施形態及び変形例においては、計測情報テーブル２７４に、地下水膜ろ過システム１００のＩＤと地下水膜ろ過システム設置された位置を示す情報（緯度、経度）とが関連付けて記憶されている場合について説明したが、この例に限られない。例えば、監視装置１１２が、地下水膜ろ過システム設置された位置を示す情報を含む計測情報を作成し、該作成した計測情報を、遠隔監視サーバ２００、４００へ送信するようにしてもよい。
前述した実施形態及び変形例においては、水源の識別情報の一例として、地下水膜ろ過システム１００のＩＤ等について説明したが、この例に限られない。たとえば、監視装置１１２にＳＩＭ(Subscriber Identity Module)を備え、該ＳＩＭに記録されている識別情報が使用されてもよい。
【００６９】
前述した実施形態及び変形例においては、遠隔監視サーバ２００が、表示画面情報を作成する場合について説明したが、この例に限られない。例えば、端末装置３００が、表示画面情報を作成するようにしてもよい。この場合、遠隔監視サーバ２００の制御部２６０は、表示要求情報を取得した場合、該表示要求情報に水位情報表示画像を要求する情報が含まれる場合に、計測情報テーブル２７４を参照し、地下水膜ろ過システム１００ａ及び地下水膜ろ過システム１００ｂのいずれか一方又は両方が設置された位置を示す情報と水位情報を取得する。制御部２６０は、取得した地下水膜ろ過システム１００ａ及び地下水膜ろ過システム１００ｂのいずれか一方又は両方が設置された位置を示す情報と水位情報とを、通信部２５０から端末装置３００へ送信する。
端末装置３００の制御部３６０は、遠隔監視サーバ２００が送信した位置を示す情報と水位情報とを取得し、取得した地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水位情報を表した水位情報表示画像を作成する。
また、遠隔監視サーバ２００の制御部２６０は、表示要求情報を取得した場合、該表示要求情報に水質情報表示画像を要求する情報が含まれる場合に、計測情報テーブル２７４を参照し、地下水膜ろ過システム１００ａ及び地下水膜ろ過システム１００ｂのいずれか一方又は両方が設置された位置を示す情報と水質情報とを取得する。制御部２６０は、取得した地下水膜ろ過システム１００ａ及び地下水膜ろ過システム１００ｂのいずれか一方又は両方が設置された位置を示す情報と水質情報とを、通信部２５０から端末装置３００へ送信する。
端末装置３００の制御部３６０は、遠隔監視サーバ２００が送信した位置を示す情報と水質情報とを取得し、取得した地下水膜ろ過システム１００ａ及び地下水膜ろ過システム１００ｂのいずれか一方又は両方が設置された位置を含む地域に形成されたメッシュのうち、地下水膜ろ過システム１００ａ及び地下水膜ろ過システム１００ｂの各々の位置に該当するメッシュに、水質情報を表した水位情報表示画像を作成する。
【００７０】
前述した実施形態及び変形例においては、水位情報表示画像の一例として、地図に設定された地域を複数に分割することによって得られる複数のメッシュのうち、水源の位置に該当するメッシュが、水位に応じて異なる色で塗りつぶされる場合について説明したが、この例に限られない。例えば、地質図のレイヤーに設定された地域を複数に分割することによって得られる複数のメッシュのうち、水源の位置に該当するメッシュが、水位に応じて異なる色で塗りつぶされるようにしてもよい。このように構成することによって、水脈に基づいて、水が出る地域を検討することができる。
前述した実施形態及び変形例においては、水質情報表示画像の一例として、地図に設定された地域を複数に分割することによって得られる複数のメッシュのうち、水源の位置に該当するメッシュが、水質に応じて異なる色で塗りつぶされる場合について説明したが、この例に限られない。例えば、地質図のレイヤーに設定された地域を複数に分割することによって得られる複数のメッシュのうち、水源の位置に該当するメッシュが、水質に応じて異なる色で塗りつぶされるようにしてもよい。このように構成することによって、水脈に基づいて、水が出る地域を検討することができる。前述した地図は、地質図に限られず、地形図、集成図、地勢図なども適用できる。
【００７１】
（第二の実施形態）
実施形態に係る遠隔監視システムの構成の一例は、図１を適用できる。遠隔監視システム２は、地下水膜ろ過システムを遠隔監視するシステムを例示している。遠隔監視システム２は、地下水膜ろ過システム１００ｃと地下水膜ろ過システム１００ｄと遠隔監視サーバ２００ａと端末装置３００ａとを備える。地下水膜ろ過システム１００ｃと地下水膜ろ過システム１００ｄと遠隔監視サーバ２００ａと端末装置３００ａとは、インターネット、携帯電話網等の通信網を介して接続される。
【００７２】
地下水膜ろ過システム１００ｃ及び地下水膜ろ過システム１００ｄは、井戸等の水源に設置され、膜ろ過処理によって、地下水を安全で、且つ安心な飲料水に変える分散型水道システムである。地下水膜ろ過システム１００ｃ及び地下水膜ろ過システム１００ｄは、定期的又は不定期的に、水源の水位と水源が存在する地表面の標高とを計測する。さらに、地下水膜ろ過システム１００ｃ及び地下水膜ろ過システム１００ｄは、定期的又は不定期的に、水源に設置された揚水ポンプの稼働状態を示す情報を取得する。
地下水膜ろ過システム１００ｃ及び地下水膜ろ過システム１００ｄは、定期的又は不定期的に、遠隔監視サーバ２００ａへ、計測した水源の水位情報（以下「水位情報」という）と水源が存在する地表面の標高情報（以下「標高情報」という）と揚水ポンプの稼働状態を示す情報（以下「稼働状態情報」という）とを含む計測情報を送信する。
【００７３】
遠隔監視サーバ２００ａは、地下水膜ろ過システム１００ｃ及び地下水膜ろ過システム１００ｄが送信した計測情報を受信すると、該計測情報に含まれる水位情報と標高情報と稼働状態情報とを関連付けて記憶する。
また、遠隔監視サーバ２００ａは、記憶した水位情報及び標高情報のいずれか一方又は両方を表示した（表した）画像を作成する。以下、水位情報及び標高情報を表示した（表した）画像を「水位標高情報表示画像」といい、水位情報を表示した（表した）表示画像を「水位情報表示画像」といい、標高情報を表示した（表した）表示画像を「標高情報表示画像」という。
【００７４】
遠隔監視サーバ２００ａは、端末装置３００ａが送信した表示要求情報を受信し、且つ該表示要求情報が水位標高情報表示画像を要求する情報を含む場合には、水位標高情報表示画像を作成し、作成した水位標高情報表示画像を、端末装置３００ａへ送信する。
また、遠隔監視サーバ２００ａは、端末装置３００ａが送信した表示要求情報を受信し、且つ該表示要求情報が水位情報表示画像を要求する情報を含む場合には、水位情報表示画像を作成し、作成した水位情報表示画像を、端末装置３００ａへ送信する。また、遠隔監視サーバ２００ａは、端末装置３００ａが送信した表示要求情報を受信し、且つ該表示要求情報が標高情報表示画像を要求する情報を含む場合には、標高情報表示画像を作成し、作成した標高情報表示画像を、端末装置３００ａへ送信する。
【００７５】
端末装置３００ａは、ユーザが操作を行うことによって、遠隔監視サーバ２００ａへ、表示要求情報を送信する。表示要求情報には、水位標高情報表示画像、水位情報表示画像及び標高情報表示画像のいずれかの表示を要求する情報が含まれる。端末装置３００ａは、表示要求情報に対して遠隔監視サーバ２００ａが送信する水位標高情報表示画像、水位情報表示画像及び標高情報表示画像のいずれかを受信すると、受信した水位標高情報表示画像、水位情報表示画像及び標高情報表示画像のいずれかを表示する。
以下、地下水膜ろ過システム１００ｃと地下水膜ろ過システム１００ｄとを区別しない場合には、地下水膜ろ過システム１００と記載する。また、地下水膜ろ過システム１００が備える各構成についても同様である。
【００７６】
（地下水膜ろ過システム）
地下水膜ろ過システムの概略構成図は、図２を適用できる。地下水膜ろ過システム１００は、地下水くみ上げシステム１０２と原水槽１０４と前ろ過器１０６と膜ろ過器１０８と処理水槽１１０と監視装置１１２ａと受水槽１１６とを備える。
【００７７】
地下水くみ上げシステム１０２がくみ上げた地下水は、原水槽１０４に貯留される。前ろ過器１０６は、砂ろ過等の前処理として地下水くみ上げシステム１０２がくみ上げた地下水を通常の飲料水程度までろ過する。膜ろ過器１０８は、前ろ過器１０６で前処理された水をさらに各種ろ過器で処理し、より安全な飲料水を生成する。具体的には、膜ろ過器１０８は、前ろ過器１０６で前処理された水から、食中毒の原因となるＯ−１５７やクリプトスポリジウム等の細菌類や原虫類を除去する。処理水槽１１０は、膜ろ過器１０８によって細菌類や原虫類が除去された水を貯留する。
【００７８】
監視装置１１２ａは、処理水槽１１０に貯留された水の残留塩素濃度を連続的に測定記録する。監視装置１１２ａは、残留塩素濃度の測定結果が異常を示すものである場合、地下水膜ろ過システム１００を自動的に停止させる。
監視装置１１２ａは、水の残留塩素濃度の測定結果を、遠隔監視サーバ２００ａへ送信する。受水槽１１６は、処理水槽１１０に貯留された水と公共水道とを貯留する。
【００７９】
（地下水くみ上げシステム）
図１２は、第二の実施形態に係る地下水くみ上げシステムの一例を示す概略図である。地下水くみ上げシステム１０２ａは、井戸１１と、井戸１１内に湧出する地下水Ｗを汲み上げる揚水ポンプ１２及び揚水配管１３と、水位計１９と、標高計２０とを備える。
【００８０】
井戸１１は、地面Ｇから下方に向かって帯水層Ｘまで掘削された掘削穴Ｈに挿入された気体不透過性の保護管１６を有する。保護管１６は、土砂崩落等から掘削穴Ｈを保護するための有底筒状の管である。保護管１６の底部近傍には、掘削穴Ｈに挿入した際の帯水層Ｘの位置に、帯水層Ｘの地下水を保護管１６内に取り込む取水口１６ａが形成されている。この取水口１６ａには、砂等が保護管１６内に侵入するのを防ぐための金網１７が取り付けられている。なお、「気体不透過性」とは、保護管１６から帯水層Ｘ等の土壌へ気体を透過させないことを意味する。
【００８１】
揚水ポンプ１２および揚水配管１３は、井戸に用いられる公知のポンプ及び揚水配管を用いることができる。
【００８２】
水位計１９は、井戸内に湧出する地下水Ｗの水位を計測する。水位計１９の一例は気泡式水位計である。気泡式水位計は、開口端が水底に配置されたバブラチューブで水底に気泡を送り込むのに必要な圧力を計測することで水位を算出する。水位計１９は、地下水Ｗの水位の計測結果を含む水位情報を監視装置１１２ａへ送信する。
標高計２０は、井戸１１が掘られた位置の近傍の地面Ｇの標高を計測する。標高計２０の一例は気圧高度計、電波高度計等である。標高計２０は、標高の計測結果を含む標高情報を監視装置１１２ａへ送信する。
【００８３】
（監視装置）
図１３は、第二の実施形態に係る監視装置の一例を示す。監視装置１１２ａは、通信部１５０ａと制御部１６０ａと記憶部１７０ａと上記各構成要素を図１３に示されているように電気的に接続するためのアドレスバスやデータバス等のバスライン１８０ａとを備える。
通信部１５０ａは、通信モジュールによって実現される。通信部１５０ａは、通信網５０を経由して、遠隔監視サーバ２００ａと通信を行う。
制御部１６０ａは、例えばＣＰＵ（Central Processing Unit）等の演算処理装置によって構成され、記憶部１７０ａに記憶されたプログラム１７２ａを実行することにより、取得部１６２ａと判定部１６４ａと作成部１６６ａと処理制御部１６８ａとして機能する。
【００８４】
取得部１６２ａは、処理水槽１１０に貯留された水の残留塩素濃度の測定結果を取得する。取得部１６２ａは、処理水槽１１０に貯留された水の残留塩素濃度の測定結果を取得すると、該処理水槽１１０に貯留された水の残留塩素濃度の測定結果を判定部１６４ａへ出力する。
また、取得部１６２ａは、水位計１９から水位情報を取得し、標高計２０から標高情報を取得し、揚水ポンプ１２から該揚水ポンプ１２の稼働状態を示す情報を取得する。取得部１６２ａは、水位計１９から水位情報を取得すると、該水位情報を作成部１６６ａへ出力する。取得部１６２ａは、水質計１１４ａから水質情報を取得すると、該水質情報を作成部１６６ａへ出力する。取得部１６２ａは、揚水ポンプ１２から該揚水ポンプ１２の稼働状態を示す情報を取得すると、該揚水ポンプ１２の稼働状態を示す情報を作成部１６６ａへ出力する。
【００８５】
判定部１６４ａは、取得部１６２ａが出力した処理水槽１１０に貯留された水の残留塩素濃度の測定結果を取得すると、該水の残留塩素濃度と残留塩素濃度閾値とを比較する。判定部１６４ａは、該水の残留塩素濃度と残留塩素濃度閾値との比較結果を含む判定結果を、処理制御部１６８ａへ出力する。
【００８６】
作成部１６６ａは、取得部１６２ａが出力した水位情報、標高情報、及び稼働状態情報を取得すると、該水位情報、該標高情報、及び該稼働状態情報を含む計測情報と該水位情報、該標高情報、及び該稼働状態情報が得られた水源の識別情報とを含む計測情報を作成する。水源の識別情報の一例は、地下水膜ろ過システム１００のＩＤ等の識別情報である。作成部１６６ａは、計測情報を作成すると、該計測情報を通信部１５０ａから遠隔監視サーバ２００ａへ送信する。
【００８７】
処理制御部１６８ａは、判定部１６４ａが出力した判定結果を取得する。処理制御部１６８ａは、該判定結果に水の残留塩素濃度が残留塩素濃度閾値以上であることを示す情報が含まれる場合には、地下水膜ろ過システム１００の処理を継続する。一方、処理制御部１６８ａは、該判定結果に水の残留塩素濃度が残留塩素濃度閾値未満であることを示す情報が含まれる場合には、所定のエラー処理を行うようにしてもよい。具体的には、処理制御部１６８ａは、該判定結果に水の残留塩素濃度が残留塩素濃度閾値未満であることを示す情報が含まれる場合には、地下水膜ろ過システム１００の処理を停止させるとともに、アラームを鳴らす。
記憶部１７０ａは、不揮発性メモリ等の記憶装置によって実現される。記憶部１７０ａは、プログラム１７２ａを記憶する。
【００８８】
（遠隔監視サーバ）
図１４は、第二の実施形態に係る遠隔監視サーバの一例を示す。遠隔監視サーバ２００ａは、通信部２５０ａと制御部２６０ａと記憶部２７０ａと上記各構成要素を図１４に示されているように電気的に接続するためのアドレスバスやデータバス等のバスライン２９０ａとを備える。
通信部２５０ａは、通信モジュールによって実現される。通信部２５０ａは、通信網５０を経由して、監視装置１１２ａ及び端末装置３００ａと通信を行う。通信部２５０ａは、監視装置１１２ａが送信した計測情報を受信する。通信部２５０ａは、計測情報を受信すると、該計測情報を制御部２６０ａへ出力する。
また、通信部２５０ａは、端末装置３００が送信した表示要求情報を受信する。通信部２５０ａは、表示要求情報を受信すると、該表示要求情報を制御部２６０ａへ出力する。通信部２５０ａは、表示要求情報に対して、制御部２６０ａが出力した水位標高情報表示画像、水質情報表示画像及び標高情報表示画像のいずれかを含む表示画面情報を取得すると、該表示画面情報を端末装置３００ａへ送信する。
【００８９】
制御部２６０ａは、例えば演算処理装置によって構成され、記憶部２７０ａに記憶されたプログラム２７２ａを実行することにより、記憶処理部２６２ａと表示画像作成部２６４ａと解析部２６６ａとして機能する。
記憶処理部２６２ａは、通信部２５０ａが出力した計測情報を取得すると、該計測情報に含まれる水位情報、標高情報、稼働状態情報、及び該水位情報、該標高情報及び該稼働状態情報が得られた水源の識別情報を取得する。記憶処理部２６２ａは、該水位情報と該標高情報と該稼働状態情報と該水源の識別情報とを取得すると、該水源の識別情報と該水位情報と該標高情報と該稼働状態情報とを関連付けて、記憶部２７０ａの計測情報テーブル２７４に記憶する。
【００９０】
（計測情報テーブル）
図１５は、計測情報テーブルの一例を示す。計測情報テーブル２７４ａは、地下水膜ろ過システム１００等の水源の識別情報毎に、計測情報を取得した日時と該計測情報に含まれる水位情報と標高情報と稼働状態情報とを関連付けて記憶する。図１５に示される例では、取得日時「２０１６．１１．１０  １０：００」と地下水膜ろ過システム１００ｃの水位情報「ａａａ」と水質情報「ｘｘｘ」と稼働状態情報「ＯＮ」とが関連付けられている。
【００９１】
表示画像作成部２６４ａは、通信部２５０ａが出力した表示要求情報を取得する。
表示画像作成部２６４ａは、該表示要求情報に水位標高情報表示画像を要求する情報が含まれる場合に、計測情報テーブル２７４ａを参照し、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報と標高情報とを取得する。
表示画像作成部２６４ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報と標高情報とを取得すると、地下水膜ろ過システム１００ｃ及び地下水膜ろ過システム１００ｄのいずれか一方又は両方を示す情報と該水位情報と該標高情報とを表した水位標高情報表示画像を作成する。
【００９２】
表示画像作成部２６４ａは、該表示要求情報に水位情報表示画像を要求する情報が含まれる場合に、計測情報テーブル２７４ａを参照し、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報を取得する。
表示画像作成部２６４ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報を取得すると、地下水膜ろ過システム１００ｃ及び地下水膜ろ過システム１００ｄのいずれか一方又は両方を示す情報と該水位情報を表した水位情報表示画像を作成する。
【００９３】
表示画像作成部２６４ａは、該表示要求情報に標高情報表示画像を要求する情報が含まれる場合に、計測情報テーブル２７４ａを参照し、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている標高情報を取得する。
表示画像作成部２６４ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている標高情報を取得すると、地下水膜ろ過システム１００ｃ及び地下水膜ろ過システム１００ｄのいずれか一方又は両方を示す情報と該標高情報を表した標高情報表示画像を作成する。
【００９４】
表示画像作成部２６４ａは、水位標高情報表示画像、水位情報表示画像及び標高情報表示画像のいずれかを作成すると、該水位標高情報表示画像、該水位情報表示画像及び該標高情報表示画像のいずれかを含む表示画面情報を通信部２５０ａへ出力する。水源をくみ上げるときに、特に地下水と湖沼水の場合には、水位が分単位で下がるため、監視の間隔はなるべく短い方がよい。具体的には、表示画像作成部２６４ａは、水位標高情報表示画像、水位情報表示画像及び標高情報表示画像のいずれかを、五分よりも短い期間毎に更新するのが好ましく、少なくとも二分毎に更新するのがより好ましい。
【００９５】
解析部２６６ａは、記憶部２７０ａの計測情報テーブル２７４ａに記憶された計測情報を取得する。解析部２６６ａは、計測情報を取得すると、該計測情報に含まれる水位情報を解析することによって、地盤沈下を予測する。
具体的には、解析部２６６ａは、初期水位（静水位）を示す情報を記憶し、取得した水位情報から初期水位を減算した値を算出する。ここで、初期水位として、基準とする日時の水位を使用してもよい。解析部２６６ａは、該減算した値に応じて、地盤沈下のリスクを判定する。例えば、減算した値が−５ｍ以上である場合には一番リスクが低いことを示す「リスク１」とし、減算した値が−１０ｍ以上で且つ−５ｍ未満である場合には二番目にリスクが低いことを示す「リスク２」とし、減算した値が−１０ｍ未満である場合には三番目にリスクが低いことを示す「リスク３」とする。さらに、解析部２６６ａは、計測情報に含まれる標高情報を取得し、該標高情報から、地盤沈下が生じているか否かを確認することによって、予測の検証を行うようにしてもよい。
【００９６】
ここで、地下水位と地盤沈下との関係について説明する。地下水が適正な揚水量で汲み上げられている場合、地下水の揚水量と涵養量とのバランスが取れているため、急激な水位の低下は起こりにくい。この場合、地下水盆の周期にある地層に空隙等は生じにくく、地盤沈下も起こりにくい。
逆に地下水の揚水量と涵養量とのバランスが崩れると、過剰揚水等で地下水位が低下し、揚水後に一定時間待機しても、初期値まで地下水位（静水位）が回復しなかったり、揚水中の水位（動水位）も徐々に低下したりする等の地下水位の具体的な変化として計測される。このような、初期水位（静水位）の変化又は動水位（揚水中の水位）の変化が、水位計１９から取得した水位情報から検知された場合、該水位情報が計測された水源が存在する地表の地盤沈下のリスクが上昇していると判定できる。
そこで、解析部２６６ａは、初期水位（静水位）を示す情報を記憶し、取得した水位情報から初期水位を減算した値を算出する。解析部２６６は、該減算した値に応じて、地盤沈下のリスクを判定する。さらに、解析部２６６ａは、該減算した値に応じて、地下水の揚水量と涵養量とのバランスが崩れているか否かを判定することによって、地盤沈下の要因を解析する。
【００９７】
また、解析部２６６ａは、記憶部２７０ａの計測情報テーブル２７４ａに記憶された計測情報から、水位情報の時系列データを取得するようにしてもよい。そして、解析部２６６ａは、水位情報の時系列データから、日毎の最低水位の時系列データを取得し、取得した日毎の最低水位の時系列データを統計処理するようにしてもよい。
具体的には、解析部２６６ａは、取得した日毎の最低水位の時系列データの変化率等を算出するようにしてもよい。そして、解析部２６６ａは、初期の水位からリスク１へ至った期間を計算する。そして、解析部２６６ａは、初期の水位からリスク１へ至った期間の計算結果に基づいて、リスク１からリスク２へ至る期間、さらにリスク２からリスク３へ至る期間を予測するようにしてもよい。
また、解析部２６６ａは、最低水位の閾値を記憶し、取得した水位情報が該最低水位の閾値未満になった場合に、警報を発することによって通知するようにしてもよい。
記憶部２７０ａは、不揮発性メモリ等の記憶装置によって実現される。記憶部２７０ａは、プログラム２７２ａと計測情報テーブル２７４ａとを記憶する。
【００９８】
（端末装置）
図１６は、第二の実施形態に係る端末装置の一例を示す。端末装置３００ａは、通信部３５０ａと制御部３６０ａと記憶部３７０ａとディスプレイ３８０ａと操作部３８５ａと上記各構成要素を図１６に示されているように電気的に接続するためのアドレスバスやデータバス等のバスライン３９０ａとを備える。
通信部３５０ａは、通信モジュールによって実現される。通信部３５０ａは、通信網５０を経由して、遠隔監視サーバ２００ａと通信を行う。通信部３５０ａは、遠隔監視サーバ２００ａへ、表示要求情報を送信する。表示要求情報には、水位標高情報表示画像、水位情報表示画像及び水質情報表示画像のいずれかの表示を要求する情報が含まれる。通信部３５０ａは、表示要求情報に対して、遠隔監視サーバ２００ａが送信した表示画面情報を受信すると、該表示画面情報を制御部３６０ａへ出力する。
【００９９】
制御部３６０ａは、例えば演算処理装置によって構成され、記憶部３７０ａに記憶されたプログラム３７２ａとアプリ３７６ａとを実行する。
制御部３６０ａは、アプリ３７６ａを実行することによって、以下の処理を行う。制御部３６０ａは、ユーザが操作部３８５ａに対して、水位標高情報表示画像、水位情報表示画像及び標高情報表示画像のいずれかを表示する操作を行うと、該水位標高情報表示画像、該水位情報表示画像及び該標高情報表示画像のいずれかの表示を要求する情報を含む表示要求情報を作成する。
制御部３６０ａは、表示要求情報を作成すると、該表示要求情報を、通信部３５０ａから遠隔監視サーバ２００ａへ送信する。制御部３６０ａは、通信部３５０ａから、表示画面情報を取得すると、ディスプレイ３８０ａに該表示画面情報に含まれる水位標高情報表示画像、水位情報表示画像及び標高情報表示画像のいずれかを表示する。具体的には、制御部３６０ａは、ウェブに掲示する。
記憶部３７０ａは、不揮発性メモリ等の記憶装置によって実現される。記憶部３７０ａは、プログラム３７２ａとアプリ３７６ａとを記憶する。
ディスプレイ３８０ａは、制御部３６０ａによって制御され、画像、ＧＵＩ（Ｇｒａｐｈｉｃａｌ  Ｕｓｅｒ  Ｉｎｔｅｒｆａｃｅ）等を表示する。
操作部３８５ａは、ユーザの操作を受け付ける入力デバイスである。
【０１００】
図１７は、ユーザが操作部３８５ａに対して水位標高情報表示画像を表示することを要求する操作を行った場合に、ディスプレイ３８０ａに表示される水位標高情報表示画像の一例を示す。図１７に示される水位標高情報表示画像の例では、地下水膜ろ過システム１００ｃ及び地下水膜ろ過システム１００ｄのいずれか一方に含まれる監視装置１１２ａが送信した井戸の水位情報及び標高情報が示されている。さらに、図１７に示される水位標高情報表示画像の例では、井戸の水位情報と標高情報とに加え、残塩濃度も表示されている。
【０１０１】
（遠隔監視システムの動作）
図１８は、第二の実施形態に係る遠隔監視システムの動作の一例を示すシーケンスチャートである。図１８に示される例では、監視装置１１２ａは、水位計１９による水源の水位の計測結果を含む水位情報と標高計２０による水源の近傍の地面Ｇの標高の計測結果と揚水ポンプ１２の稼働状態情報とを含む計測情報を作成する場合について説明する。
ステップＳ２００２では、水位計１９は、井戸等の水源に湧出する地下水Ｗの水位を計測する。水位計１９は、地下水Ｗの水位の計測結果を含む水位情報を、監視装置１１２ａへ送信する。
ステップＳ２００４では、標高計２０は、水源の近傍の地面Ｇの標高を計測する。標高計２０は、水源の近傍の地面Ｇの標高の計測結果を含む標高情報を、監視装置１１２ａに出力する。
【０１０２】
ステップＳ２００５では、監視装置１１２ａの取得部１６２ａは、揚水ポンプ１２から該揚水ポンプ１２の稼働状態情報を取得し、該稼働状態情報を作成部１６６ａへ出力する。
ステップＳ２００６では、監視装置１１２ａの通信部１５０ａは、水位計１９が送信した水位情報と標高計２０が送信した標高情報とを受信する。監視装置１１２ａの取得部１６２ａは、通信部１５０ａが受信した水位情報と標高情報とを取得すると、該水位情報と該標高情報とを作成部１６６ａへ出力する。
作成部１６６ａは、取得部１６２ａが出力した水位情報と水質情報と稼働状態情報とを取得すると、該水位情報と該水質情報と該稼働状態情報と水源の識別情報とを含む計測情報を作成する。作成部１６６ａは、計測情報を作成すると、該計測情報を通信部１５０ａへ出力する。
【０１０３】
ステップＳ２００８では、監視装置１１２ａの通信部１５０ａは、作成部１６６ａが出力した計測情報を取得すると、該計測情報を遠隔監視サーバ２００ａへ送信する。
ステップＳ２０１０では、遠隔監視サーバ２００ａの通信部２５０ａは、監視装置１１２ａが送信した計測情報を受信すると、該計測情報を記憶処理部２６２ａへ出力する。記憶処理部２６２ａは、通信部２５０ａが出力した計測情報を取得すると、該計測情報に含まれる水位情報と標高情報と稼働状態情報と水源の識別情報とを取得する。記憶処理部２６２ａは、水位情報と標高情報と稼働状態情報と水源の識別情報とを取得すると、該水位情報と該標高情報と該水源の識別情報とを関連付けて記憶部２７０ａの計測情報テーブル２７４ａへ記憶する。
【０１０４】
ステップＳ２０１２では、端末装置３００ａの制御部３６０ａは、ユーザが操作部３８５ａに対してアプリ３７６ａを起動する操作を行うことによって、アプリ３７６ａを起動させる。制御部３６０ａは、アプリ３７６ａが起動した後に、ユーザが操作部３８５ａに対して水位標高情報表示画像、水位情報表示画像及び標高情報表示画像のいずれかの表示を要求する操作を行うと、水位標高情報表示画像、水位情報表示画像及び標高情報表示画像のいずれかの表示を要求する情報を含む表示要求情報を作成する。制御部３６０ａは、通信部３５０ａへ、表示要求情報を出力する。
ステップＳ２０１４では、端末装置３００ａの通信部３５０ａは、制御部３６０ａが出力した表示要求情報を取得すると、該表示要求情報を、遠隔監視サーバ２００ａへ送信する。
【０１０５】
ステップＳ２０１６では、遠隔監視サーバ２００ａの通信部２５０ａは、端末装置３００ａが送信した表示要求情報を受信する。表示画像作成部２６４ａは、通信部２５０ａから表示要求情報を取得すると、該表示要求情報に水位標高情報表示画像を要求する情報が含まれる場合には、水位標高情報表示画像を作成する。
また、表示画像作成部２６４ａは、該表示要求情報に水位情報表示画像を要求する情報が含まれる場合には、水位情報表示画像を作成する。
また、表示画像作成部２６４ａは、該表示要求情報に標高表示画像を要求する情報が含まれる場合には、標高情報表示画像を作成する。
表示画像作成部２６４ａは、水位標高情報表示画像、水位情報表示画像及び水質情報表示画像のいずれかを作成すると、該水位標高情報表示画像、該水位情報表示画像及び該標高情報表示画像のいずれかを含む表示画面情報を、通信部２５０ａへ出力する。
ステップＳ２０１８では、遠隔監視サーバ２００ａの通信部２５０ａは、表示画像作成部２６４ａが出力した表示画像情報を取得すると、該表示画像情報を端末装置３００ａへ送信する。
【０１０６】
ステップＳ２０２０では、端末装置３００ａの通信部３５０ａは、遠隔監視サーバ２００ａが送信した表示画像情報を受信する。制御部３６０ａは、通信部３５０ａから表示画像情報を取得すると、該表示画像情報に含まれる水位標高情報表示画像、水位情報表示画像及び標高情報表示画像のいずれかをディスプレイ３８０ａに表示する。
ステップＳ２０２２では、遠隔監視サーバ２００ａの解析部２６６ａは、記憶部２７０ａの計測情報テーブル２７４ａに記憶された計測情報を取得すると、該計測情報に含まれる水位情報を取得する。そして、解析部２６６ａは、水位情報を取得すると、水位情報を解析する。
具体的には、解析部２６６ａは、水位情報を解析することによって、地盤沈下を予測する。
解析部２６６ａは、水位情報の解析結果を、通信部２５０ａへ出力する。
ステップＳ２０２４では、遠隔監視サーバ２００ａの通信部２５０ａは、解析部２６６ａが出力した解析結果を、端末装置３００ａへ送信する。
ステップＳ２０２６では、端末装置３００ａの通信部３５０ａは、遠隔監視サーバ２００ａが送信した解析結果を受信する。制御部３６０ａは、通信部３５０ａから解析結果を取得すると、該解析結果を処理することによって、ディスプレイ３８０ａに表示する。
【０１０７】
前述した実施形態では、遠隔監視サーバ２００ａが、水位情報と標高情報とを含む水位標高情報表示画像、水位情報を含む水位情報表示画像及び標高情報と含む標高情報表示画像のいずれかを作成する場合について説明したが、この例に限られない。例えば、遠隔監視サーバ２００ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報と標高情報とに加え、稼働状態情報を取得するようにしてもよい。そして、遠隔監視サーバ２００は、地下水膜ろ過システム１００ｃ及び地下水膜ろ過システム１００ｄのいずれか一方又は両方を示す情報と該水位情報と該標高情報と該稼働状態情報とを表した水位標高情報表示画像を作成するようにしてもよい。
【０１０８】
また、遠隔監視サーバ２００ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報に加え、稼働状態情報を取得するようにしてもよい。そして、遠隔監視サーバ２００は、地下水膜ろ過システム１００ｃ及び地下水膜ろ過システム１００ｄのいずれか一方又は両方を示す情報と該水位情報と該稼働状態情報とを表した水位情報表示画像を作成するようにしてもよい。
【０１０９】
また、遠隔監視サーバ２００ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている標高情報に加え、稼働状態情報を取得するようにしてもよい。そして、遠隔監視サーバ２００ａは、地下水膜ろ過システム１００ｃ及び地下水膜ろ過システム１００ｄのいずれか一方又は両方を示す情報と該標高情報と該稼働状態情報とを表した標高情報表示画像を作成するようにしてもよい。
また、前述した実施形態では、遠隔監視サーバ２００ａが、水位情報を解析することによって、地盤沈下を予測し、地盤沈下を予測した結果を、端末装置３００ａへ送信する場合について説明したが、この限りでない。例えば、遠隔監視サーバ２００ａは、地盤沈下を予測した結果を含む電子メールを、関係者へ配信するようにしてもよい。このように構成することによって、現地に要員が居なくても、要員にリスクを把握させることができる。
【０１１０】
実施形態に係る遠隔監視システムによれば、地下水膜ろ過システム１００に含まれる監視装置１１２ａは、水位計１９による水位の計測結果を含む水位情報と標高計２０による標高の計測結果を含む標高情報と水源に設置された揚水ポンプ１２から該揚水ポンプ１２の稼働状態情報を取得する。監視装置１１２ａは、水位情報、標高情報及び稼働状態情報を取得すると、該水位情報と該標高情報と該稼働状態情報と水源の識別情報とを含む計測情報を、遠隔監視サーバ２００ａへ送信する。
【０１１１】
遠隔監視サーバ２００ａは、監視装置１１２ａが送信した計測情報を受信すると、該計測情報に含まれる水位情報と標高情報と稼働状態情報と水源の識別情報とを取得する。遠隔監視サーバ２００ａは、該水位情報と該標高情報と該稼働状態情報と該水源の識別情報とを取得すると、該水位情報と該標高情報と該稼働状態情報と該水源の識別情報とを関連付けて記憶する。そして、遠隔監視サーバ２００ａは、端末装置３００ａが送信した表示要求情報に応じて、一又は複数の地点で観測された計測情報を表した水位標高情報表示画像、水位情報表示画像及び標高情報表示画像のいずれかを含む表示画像情報を作成する。遠隔監視サーバ２００は、表示画像情報を作成すると、作成した表示画像情報を、端末装置３００へ送信する。
【０１１２】
端末装置３００ａは、遠隔監視サーバ２００ａが送信した表示画像情報を受信すると、該表示画像情報に含まれる水位情報表示画像及び水質情報表示画像のいずれか一方又は両方を処理することによって、表示する。
このように構成することによって、一般的な観測井戸で計測される情報を使用する場合と比較して、リアルタイムに近い情報を取得できる。リアルタイムに近い情報を取得できることによって、計測情報の変化を精度よくとらえることができる。
【０１１３】
また、一又は複数の地点における地下水の水位及び標高のいずれか一方又は両方の情報を一元的に、自動的に遠隔監視できる。また、地下水の水位を時系列に並べることによって、井戸の水位の変化及び標高の変化のいずれか一方又は両方を動的に把握することができる。例えば、水位情報表示画像を参照して地下水の水位の変化が生じているか否かを判定することによって、地盤沈下のリスクがあるか否かを予測できる。さらに、地盤沈下のリスクがあると予測した地点の標高情報表示画像を参照することによって、地盤沈下が生じているか否かを確認することによって、予測の検証を行うことができる。
【０１１４】
（変形例（その１））
変形例に係る遠隔監視システムは、図１を適用できる。
変形例に係る遠隔監視システムでは、水位計１９は、水源の静水位と動水位とを計測する。そして、水位計１９が計測した静水位の計測結果、動水位の計測結果等の水位情報と標高情報と水源の識別情報とを含む計測情報を監視装置１１２ａへ送信する。
遠隔監視サーバ２００ａは、地下水膜ろ過システム１００ｃ及び地下水膜ろ過システム１００ｄが送信した計測情報を受信すると、該計測情報に含まれる水位情報と標高情報と水源の識別情報とを取得する。遠隔監視サーバ２００ａは、該水位情報と該標高情報と該水源の識別情報とを取得すると、該水位情報と該標高情報と該水源の識別情報とを関連付けて記憶する。
遠隔監視サーバ２００ａは、記憶した水位情報及び標高情報のいずれか一方又は両方を表示した表示画像情報を作成する。
【０１１５】
遠隔監視サーバ２００ａは、端末装置３００ａが送信した表示要求情報を受信し、且つ該表示要求情報が水位標高情報表示画像を要求する情報を含む場合には、水位標高情報表示画像を作成し、作成した水位標高情報表示画像を、端末装置３００ａへ送信する。具体的には、遠隔監視サーバ２００ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報（静水位、動水位）と標高情報とを取得すると、地下水膜ろ過システム１００ｃ及び地下水膜ろ過システム１００ｄのいずれか一方又は両方を示す情報と該水位情報（静水位、動水位）と該標高情報とを表した水位標高情報表示画像を作成する。
【０１１６】
また、遠隔監視サーバ２００ａは、端末装置３００ａが送信した表示要求情報を受信し、且つ該表示要求情報が水位情報表示画像を要求する情報を含む場合には、水位情報表示画像を作成し、作成した水位情報表示画像を、端末装置３００ａへ送信する。具体的には、遠隔監視サーバ２００ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報（静水位、動水位）を取得すると、地下水膜ろ過システム１００ｃ及び地下水膜ろ過システム１００ｄのいずれか一方又は両方を示す情報と該水位情報（静水位、動水位）を表した水位標高情報表示画像を作成する。
【０１１７】
（遠隔監視システムの動作）
遠隔監視システムの動作の一例を示すシーケンスチャートは、図１８を適用できる。ただし、ステップＳ２００５において、監視装置１１２ａの取得部１６２ａは、二分よりも短い周期で、揚水ポンプ１２から該揚水ポンプ１２の稼働状態情報を取得する。そして、ステップＳ２００６において、監視装置１１２ａの取得部１６２ａは、二分よりも短い周期で、水位計１９から水源の水位の計測結果を取得する。
水位計１９による水源の水位の計測結果と揚水ポンプ１２の発停信号が計測されている場合でも、例えば、観測井戸のように、水位計１９が水源の水位を計測する周期が１時間単位、１日単位又はそれより長い周期であると、不定期に発停する揚水ポンプ１２の挙動を捉えて、測定された水位が静水位か動水位かを判断するのは難しい。このように、二分よりも短い周期で、揚水ポンプ１２の稼働状態情報と水源の水位の計測結果とを取得することによって、取得部１６２ａは、静水位と動水位とを精度よく把握できる。
【０１１８】
前述した実施形態では、遠隔監視サーバ２００ａが、水位情報と標高情報とを含む水位標高情報表示画像、水位情報を含む水位情報表示画像及び標高情報と含む標高情報表示画像のいずれかを作成する場合について説明したが、この例に限られない。例えば、遠隔監視サーバ２００ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報と標高情報とに加え、稼働状態情報を取得するようにしてもよい。そして、遠隔監視サーバ２００は、地下水膜ろ過システム１００ｃ及び地下水膜ろ過システム１００ｄのいずれか一方又は両方を示す情報と該水位情報と該標高情報と該稼働状態情報とを表した水位標高情報表示画像を作成するようにしてもよい。
【０１１９】
また、遠隔監視サーバ２００ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報に加え、稼働状態情報を取得するようにしてもよい。そして、遠隔監視サーバ２００ａは、地下水膜ろ過システム１００ｃ及び地下水膜ろ過システム１００ｄのいずれか一方又は両方を示す情報と該水位情報と該稼働状態情報とを表した水位情報表示画像を作成するようにしてもよい。
【０１２０】
また、遠隔監視サーバ２００ａは、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている標高情報に加え、稼働状態情報を取得するようにしてもよい。そして、遠隔監視サーバ２００は、地下水膜ろ過システム１００ｃ及び地下水膜ろ過システム１００ｄのいずれか一方又は両方を示す情報と該標高情報と該稼働状態情報とを表した標高情報表示画像を作成するようにしてもよい。
【０１２１】
変形例に係る遠隔監視システム１によれば、遠隔監視サーバ２００ａは、端末装置３００ａが送信した表示要求情報に応じて、水位標高情報表示画像、水位情報表示画像等の表示画面情報を作成できる。具体的には、遠隔監視サーバ２００ａは、表示要求情報に水位標高情報表示画像を示す情報が含まれる場合に、計測情報テーブル２７４ａに記憶した水位情報（静水位又は動水位）と標高情報とを取得し、地下水膜ろ過システム１００ｃ及び地下水膜ろ過システム１００ｄのいずれか一方又は両方を示す情報と該水質情報（静水位又は動水位）と該標高情報とを表した標高情報表示画像を作成する。
【０１２２】
また、遠隔監視サーバ２００ａは、表示要求情報に水位情報表示画像を示す情報が含まれる場合に、計測情報テーブル２７４ａに記憶した水位情報（静水位又は動水位）を取得し、地下水膜ろ過システム１００ｃ及び地下水膜ろ過システム１００ｄのいずれか一方又は両方を示す情報と該水質情報（静水位又は動水位）を表した水位情報表示画像を作成する。
このように構成することによって、一般的な観測井戸で計測される情報を使用する場合と比較して、リアルタイムに近い情報を取得できる。リアルタイムに近い情報を取得できることによって、静水位及び動水位のいずれか一方又は両方の変化を精度よくとらえることができる。
【０１２３】
また、一又は複数の地点における地下水の水位（静水位又は動水位）及び標高のいずれか一方又は両方の情報を一元的に、自動的に遠隔監視できる。また、地下水の水位を時系列に並べることによって、井戸の水位の変化及び標高の変化のいずれか一方又は両方を動的に把握することができる。例えば、水位情報表示画像を参照して静水位又は動水位の変化が生じているか否かを判定することによって、地盤沈下のリスクがあるか否かを予測できる。さらに、地盤沈下のリスクがあると予測した地点の標高情報表示画像を参照することによって、地盤沈下が生じているか否かを確認することによって、予測の検証を行うことができる。
【０１２４】
（変形例（その２））
変形例に係る遠隔監視システムは、図１を適用できる。
変形例に係る遠隔監視システムは、前述した実施形態に係る遠隔監視サーバ２００ａの代わりに、遠隔監視サーバ４００ａを備える。
遠隔監視サーバ４００ａは、地下水膜ろ過システム１００ｃ及び地下水膜ろ過システム１００ｄの各々について、日毎の最低水位の閾値と日毎の最高水位の閾値とを記憶している。遠隔監視サーバ４００ａは、地下水膜ろ過システム１００ｃ及び地下水膜ろ過システム１００ｄが送信した計測情報を記憶すると、該計測情報に含まれる水位情報を取得する。
遠隔監視サーバ４００ａは、揚水ポンプ１２が稼働している状態で水位情報を取得した場合、水位が、日毎の最低水位の閾値未満となるまで、揚水ポンプ１２の稼働を継続し続ける。また、遠隔監視サーバ４００ａは、揚水ポンプ１２が稼働していない状態で水位情報を取得した場合、水位が日毎の最高水位の閾値以上となるまで、揚水ポンプ１２の稼働を停止し続ける。
【０１２５】
（遠隔監視サーバ）
図１９は、変形例に係る遠隔監視サーバの一例を示す。遠隔監視サーバ４００ａは、通信部４５０ａと制御部４６０ａと記憶部４７０ａと上記各構成要素を図１９に示されているように電気的に接続するためのアドレスバスやデータバス等のバスライン４９０ａとを備える。
通信部４５０ａ、記憶部４７０ａ、ディスプレイ４８０ａ及び操作部４８５ａは、図１４を参照して説明した遠隔監視サーバ２００ａの通信部２５０ａ、記憶部２７０ａ、ディスプレイ２８０ａ及び操作部２８５ａを適用できる。
【０１２６】
制御部４６０ａは、例えば演算処理装置によって構成され、記憶部４７０ａに記憶されたプログラム４７２ａを実行することにより、記憶処理部４６２ａと表示画像作成部４６４ａと制御部４６６ａとして機能する。
記憶処理部４６２ａは、図１４を参照して説明した遠隔監視サーバ２００ａの記憶処理部２６２ａを適用できる。
表示画像作成部４６４ａは、図１４を参照して説明した遠隔監視サーバ２００ａの表示画像作成部２６４ａを適用できる。
【０１２７】
制御部４６６ａは、地下水膜ろ過システム１００ｃ及び地下水膜ろ過システム１００ｄの各々について、日毎の最低水位の閾値と日毎の最高水位の閾値とを記憶している。制御部４６６ａは、記憶部４７０ａの計測情報テーブル４７４ａに記憶された水位情報を取得する。また、制御部４６６ａは、一定時間の間に、一定回数、一定時間、一定数量で、揚水ポンプ１２を稼働させる。具体的には、制御部４６６ａは、一日一回、２４時から６０分間、予め把握された適正揚水量で、揚水ポンプ１２を稼働させる。制御部４６６ａは、揚水ポンプ１２を稼働させた後、一定時間停止させて、定期的に行われる揚水試験を行う。制御部４６６ａは、揚水試験後の水位が初期水位まで回復していることを、前回の揚水試験結果と比較したり、照合したりすることによって、地下水の利用バランスが適正に保たれていることを定期的に確認する。
制御部４６６ａは、揚水ポンプ１２が稼働している状態で取得した水位情報が日毎の最低水位の閾値より高い場合、水位が、日毎の最低水位の閾値となるまで、揚水ポンプ１２の稼働を継続し続ける。また、遠隔監視サーバ４００ａは、揚水ポンプ１２が稼働していない状態で取得した水位情報が日毎の最高水位の閾値より低い場合、水位が日毎の最高水位の閾値以上となるまで、揚水ポンプ１２の稼働を停止し続ける。
【０１２８】
変形例に係る遠隔監視システムによれば、遠隔監視サーバ４００ａは、地下水膜ろ過システム１００ｃ及び地下水膜ろ過システム１００ｄが送信した計測情報を記憶すると、該計測情報に含まれる水位情報を取得する。そして、遠隔監視サーバ４００ａは、該計測情報に含まれる水位情報を取得すると、該水位情報に基づいて、揚水ポンプの発停制御を行う。
このように構成することによって、地下水を適正な揚水量で汲み上げることができる。
【０１２９】
前述した実施形態及び変形例においては、水源の一例として井戸について説明したが、この例に限られない。例えば、河川にも適用できる。この場合、地下水膜ろ過システム１００ｃ及び地下水膜ろ過システム１００ｄは、河川等の水源に設置され、膜ろ過処理によって、河川水を安全で、且つ安心な飲料水に変える分散型水道システムが適用される。
また、前述した実施形態及び変形例においては、遠隔監視システム２が地下水膜ろ過システム１００ｃと地下水膜ろ過システム１００ｄとを備える場合について説明したが、この例に限られない。例えば、遠隔監視システム１が備える地下水膜ろ過システムは１個であってもよいし、３個以上であってもよい。
前述した実施形態及び変形例においては、遠隔監視サーバが水位標高情報表示画像、水位情報表示画像及び標高情報表示画像のいずれかを作成する場合について説明したが、この例に限られない。例えば、遠隔監視サーバが水位標高情報表示画像、水位情報表示画像及び標高情報表示画像のうち、少なくとも２つを作成するようにしてもよい。
また、遠隔監視サーバ４００が、水位標高情報表示画像、水位情報表示画像及び標高情報表示画像のいずれかを作成する場合に、地下水膜ろ過システム１００ｃ及び地下水膜ろ過システム１００ｄのいずれか一方又は両方が設置された位置を含む地域に形成されたメッシュのうち、地下水膜ろ過システム１００ｃ及び地下水膜ろ過システム１００ｄの各々の位置に該当するメッシュに、水位情報及び標高情報のいずれか一方又は両方を表すようにしてもよい。具体的には、地図に設定された地域をメッシュ状に分割した領域（メッシュ）を表示し、表示したメッシュの各々に、水位情報及び標高情報を表す（表示する）ようにしてもよいし、表示したメッシュの枠と内部との各々に、水位情報又は標高情報を表す（表示する）ようにしてもよい。
また、前述した実施形態及び変形例においては、遠隔監視サーバ２００ａが、監視装置１１２ａが送信した計測情報を受信し、受信した計測情報を、記憶部２７０ａに記憶する。そして、遠隔監視サーバ２００ａは、記憶した計測情報に基づいて、表示画面情報を作成する場合について説明したが、この例に限られない。例えば、遠隔監視サーバ２００ａが、監視装置１１２ａが送信した計測情報を受信し、受信した計測情報を記憶することなく、表示画面情報を作成するようにしてもよい。このように構成することによって、記憶する処理を省略できるため、処理を簡略化できる。
【０１３０】
前述した実施形態及び変形例においては、遠隔監視サーバ２００ａが、表示画面情報を作成する場合について説明したが、この例に限られない。例えば、端末装置３００ａが、表示画面情報を作成するようにしてもよい。この場合、遠隔監視サーバ２００ａの制御部２６０ａは、表示要求情報を取得した場合、該表示要求情報に水位標高情報表示画像を要求する情報が含まれる場合に、計測情報テーブル２７４ａを参照し、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報と標高情報とを取得する。制御部２６０ａは、取得した地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報と標高情報とを、通信部２５０ａから端末装置３００ａへ送信する。
端末装置３００ａの制御部３６０ａは、遠隔監視サーバ２００ａが送信した地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報と標高情報とを取得し、取得した地下水膜ろ過システム１００ｃ及び地下水膜ろ過システム１００ｄのいずれか一方又は両方が設置された位置を含む地域に形成されたメッシュのうち、地下水膜ろ過システム１００ｃ及び地下水膜ろ過システム１００ｄの各々の位置に該当するメッシュに、水位情報と標高情報とを表した水位標高情報表示画像を作成する。
【０１３１】
また、遠隔監視サーバ２００ａの制御部２６０ａは、表示要求情報を取得した場合、該表示要求情報に水位情報表示画像を要求する情報が含まれる場合に、計測情報テーブル２７４ａを参照し、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報を取得する。制御部２６０ａは、取得した地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報を、通信部２５０ａから端末装置３００ａへ送信する。
端末装置３００ａの制御部３６０ａは、遠隔監視サーバ２００ａが送信した地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている水位情報を取得し、取得した地下水膜ろ過システム１００ｃ及び地下水膜ろ過システム１００ｄのいずれか一方又は両方が設置された位置を含む地域に形成されたメッシュのうち、地下水膜ろ過システム１００ｃ及び地下水膜ろ過システム１００ｄの各々の位置に該当するメッシュに、水位情報を表した水位情報表示画像を作成する。
【０１３２】
また、遠隔監視サーバ２００ａの制御部２６０ａは、表示要求情報を取得した場合、該表示要求情報に標高情報表示画像を要求する情報が含まれる場合に、計測情報テーブル２７４ａを参照し、地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている標高情報を取得する。制御部２６０ａは、取得した地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている標高情報を、通信部２５０ａから端末装置３００ａへ送信する。
端末装置３００ａの制御部３６０ａは、遠隔監視サーバ２００ａが送信した地下水膜ろ過システム１００ｃ及び地下水膜ろ過システム１００ｄのいずれか一方又は両方を示す情報と地下水膜ろ過システム１００ｃ及び地下水膜ろ過システム１００ｄのいずれか一方又は両方と関連付けて記憶されている標高情報を取得し、取得した地下水膜ろ過システム１００ｃ及び地下水膜ろ過システム１００ｄのいずれか一方又は両方が設置された位置を含む地域に形成されたメッシュのうち、地下水膜ろ過システム１００ｃ及び地下水膜ろ過システム１００ｄの各々の位置に該当するメッシュに、標高情報を表した水位標高情報表示画像を作成する。
【０１３３】
また、前述した第一の実施形態とその変形例と、第二の実施形態とその変形例とが組み合わされてもよい。例えば、遠隔監視サーバは、地下水膜ろ過システムが計測した水源の水位の水位情報と、水質の水質情報と、標高情報とのうち、少なくとも１以上の項目の計測結果を取得し、取得した計測結果に基づいて、地図に設定された地域を複数の領域に分割し、その水源の位置に該当する領域に、その水源の１以上の項目を表した画像を作成するようにしてもよい。また、例えば、遠隔監視サーバは、地下水膜ろ過システムが計測した水源に設置された揚水ポンプの稼働状態情報を含む計測結果を取得し、取得した計測結果に基づいて、地図に設定された地域を複数の領域に分割し、その水源の位置に該当する領域に、その水源に設置された揚水ポンプの稼働状態を表した画像を作成するようにしてもよい。
【０１３４】
なお、上述した遠隔監視システムの監視装置、及び遠隔監視サーバは、コンピュータで実現するようにしてもよい。その場合、各機能ブロックの機能を実現するためのプログラムをコンピュータ読み取り可能な記録媒体に記録する。この記録媒体に記録されたプログラムをコンピュータシステムに読み込ませ、ＣＰＵが実行することで実現してもよい。ここでいう「コンピュータシステム」とは、ＯＳ（Ｏｐｅｒａｔｉｎｇ  Ｓｙｓｔｅｍ）や周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体のことをいう。また、「コンピュータ読み取り可能な記録媒体」は、コンピュータシステムに内蔵されるハードディスク等の記憶装置を含む。
【０１３５】
さらに「コンピュータ読み取り可能な記録媒体」とは、短時間の間、動的にプログラムを保持するものを含んでいてもよい。短時間の間、動的にプログラムを保持するものは、例えば、インターネット等のネットワークや電話回線等の通信回線を介してプログラムを送信する場合の通信線である。また、「コンピュータ読み取り可能な記録媒体」には、サーバやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ（Ｆｉｅｌｄ  Ｐｒｏｇｒａｍｍａｂｌｅ  Ｇａｔｅ  Ａｒｒａｙ）である。
【０１３６】
また、図を用いて説明した装置の各機能部は、ソフトウェア機能部であるものとしたが、機能の一部又は全部は、ＬＳＩ等のハードウェア機能部であってもよい。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
前述した実施形態において、端末装置は画像作成装置の一例であり、監視装置は送信装置の一例であり、遠隔監視サーバはサーバの一例であり、水位計１９及び水質計１１４ａは計測部の一例であり、通信部１５０は送信部の一例であり、通信部２５０は受信部の一例であり、記憶部２７０は記憶部の一例であり、表示画像作成部２６４は表示画像作成部の一例である。
【０１３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３８】
１１・・・井戸、１２・・・ポンプ、１３・・・揚水配管、１６・・・保護管、１６ａ・・・取水口、１７・・・金網、１８・・・接触防止剤、１９・・・水位計、Ａ・・・大気、Ｇ・・・地面、Ｈ・・・掘削穴、Ｘ・・・帯水層、Ｓ・・・水面、Ｗ・・・地下水、５０・・・通信網、１００、１００ａ、１００ｂ、１００ｃ、１００ｄ・・・地下水膜ろ過システム、１０２、１０２ａ・・・地下水くみ上げシステム、１０４・・・原水槽、１０６・・・前ろ過器、１０８・・・膜ろ過器、１１０・・・処理水槽、１１２、１１２ａ・・・監視装置、１１４ａ・・・水質計、１１６・・・受水槽、１５０、１５０ａ・・・通信部、１６０、１６０ａ・・・制御部、１６２、１６２ａ・・・取得部、１６４、１６４ａ・・・判定部、１６６、１６６ａ・・・作成部、１６８、１６８ａ・・・処理制御部、１７０、１７０ａ・・・記憶部、１７２、１７２ａ・・・プログラム、１８０・・・バスライン、２００、２００ａ、４００、４００ａ・・・遠隔監視サーバ、２５０、２５０ａ、４５０、４５０ａ・・・通信部、２６０、２６０ａ、４６０、４６０ａ・・・制御部、２６２、２６２ａ、４６２、４６２ａ・・・記憶処理部、２６４、２６４ａ、４６４、４６４ａ・・・表示画像作成部、４６６、４６６ａ・・・演算部、２７０、２７０ａ、４７０、４７０ａ・・・記憶部、２７２、２７２ａ、４７２、４７２ａ・・・プログラム、２７４、２７４ａ、４７４、４７４ａ・・・計測情報テーブル、２９０、２９０ａ、４９０・・・バスライン、３００、３００ａ・・・端末装置、３５０、３５０ａ・・・通信部、３６０、３６０ａ・・・制御部、３７０、３７０ａ・・・記憶部、３７２、３７２ａ・・・プログラム、３７６、３７６ａ・・・アプリ、３８０、３８０ａ・・・ディスプレイ、３８５、３８５ａ・・・操作部、３９０、３９０ａ・・・バスライン
【図１】
0006730456.tif 000002
【図２】
0006730456.tif 000003
【図３】
0006730456.tif 000004
【図４】
0006730456.tif 000005
【図５】
0006730456.tif 000006
【図６】
0006730456.tif 000007
【図７】
0006730456.tif 000008
【図８】
0006730456.tif 000009
【図９】
0006730456.tif 000010
【図１０】
0006730456.tif 000011
【図１１】
0006730456.tif 000012
【図１２】
0006730456.tif 000013
【図１３】
0006730456.tif 000014
【図１４】
0006730456.tif 000015
【図１５】
0006730456.tif 000016
【図１６】
0006730456.tif 000017
【図１７】
0006730456.tif 000018
【図１８】
0006730456.tif 000019
【図１９】
0006730456.tif 000020